(57)【要約】  第２タイプのネットワークセルとは異なる第１タイプのネットワークセルを示す指示情報を送信する段階を含む方法を開示し、送信する段階は、a)制御情報をブロードキャストし、送信される指示情報が指示フラグである段階、b)１組の同期情報を第１タイプのネットワークセルに割り当てる段階、及び制御情報をブロードキャストし、送信される指示情報が同期情報である段階、c)第１タイプのネットワークセルに対する少なくとも１つの信号伝達コード情報をリザーブし、送信される指示情報が信号伝達コード情報である段階、d)変調又はスクランブリングが第１及び第２タイプのネットワークセルを示すものである少なくとも１つの所定の位相変調による変調又は少なくとも１つの所定のスクランブリングシーケンスによるスクランブリングを受けた信号伝達情報を送信する段階、及び／又はe)少なくとも１つの位相関係が第１及び第２タイプのネットワークセルを示すものである少なくとも１つの所定の互いに対する位相関係を有するi)PSS及びRS、ii)SSS及びRS、又はiii)PSS及びSSS、PSS/RS、SSS/RS又はPSS/SSSを送信する段階を含む。【選択図】図６
2011525738.tif 000002
【特許請求の範囲】
【請求項１】
少なくとも１つの所定の位相変調による変調及び少なくとも１つの所定のスクランブリングシーケンスによるスクランブリングのうちの一方による信号伝達情報を送信する段階、
を含み、
前記変調及びスクランブリングのうちの前記一方は、第１タイプのネットワークセル及び該第１タイプとは異なる第２タイプのネットワークセルを示すものである、
ことを特徴とする方法。
【請求項２】
前記信号伝達情報に変調及びスクランブリングのうちの前記一方を受けさせる段階を更に含むことを特徴とする請求項１に記載の方法。
【請求項３】
前記少なくとも１つの所定の位相変調によって前記信号伝達情報を変調する段階を更に含むことを特徴とする請求項１又は請求項２に記載の方法。
【請求項４】
前記少なくとも１つの所定のスクランブリングシーケンスによって前記信号伝達情報にスクランブルをかける段階を更に含むことを特徴とする請求項１又は請求項２に記載の方法。
【請求項５】
１組の同期情報を前記ネットワークセルの部分集合に割り当てる段階を更に含み、
前記信号伝達情報は、前記ネットワークセルの前記部分集合に対してのみ前記変調及びスクランブリングのうちの前記一方を受ける、
ことを特徴とする請求項１から請求項４のいずれか１項に記載の方法。
【請求項６】
制御情報を信号伝達する段階を更に含み、
前記送信する段階は、前記信号伝達する段階に対する補助的指示として実行される、
ことを特徴とする請求項１から請求項５のいずれか１項に記載の方法。
【請求項７】
ｉ）少なくとも１つの所定の互いに対する位相関係を有する１次同期信号及び参照信号、
ｉｉ）少なくとも１つの所定の互いに対する位相関係を有する２次同期信号及び参照信号、又は
ｉｉｉ）少なくとも１つの所定の互いに対する位相関係を有する１次同期信号及び２次同期信号、
のうちの１つを送信する段階、
を含み、
前記少なくとも１つの位相関係は、第１タイプのネットワークセル及び該第１タイプとは異なる第２タイプのネットワークセルを示すものである、
ことを特徴とする方法。
【請求項８】
第２タイプのネットワークセルとは異なる第１タイプのネットワークセルを示す指示情報を送信する段階、
を含み、
前記送信する段階は、
ａ）制御情報をブロードキャストし、送信される前記指示情報が指示フラグである段階、
ｂ）１組の同期情報を前記第１タイプのネットワークセルに割り当てる段階、及び制御情報をブロードキャストし、送信される前記指示情報が該同期情報である段階、
ｃ）前記第１タイプのネットワークセルに対する少なくとも１つの信号伝達コード情報をリザーブし、送信される前記指示情報が該信号伝達コード情報である段階、
ｄ）請求項１から請求項６のいずれか１項に従って送信する段階、及び
ｅ）請求項７に従って送信する段階、
のうちの少なくとも１つを含む、
ことを特徴とする方法。
【請求項９】
指示情報を送信する前記段階は、前記第１タイプのネットワークセルに対するネットワークセルＩＤの数、該第１タイプのネットワークセルに対するネットワークセルＩＤの第１の数、及び該第１タイプのネットワークセルに対するネットワークセルＩＤの第２の数に基づいており、該数及び該第１及び第２の数は、１に等しいか又はそれよりも大きい整数であり、該第２の数は、該第１の数よりも大きく、
項目ａ）の前記送信する段階は、前記数が実質的にゼロに等しい場合に実行され、
項目ｂ）の前記送信する段階は、前記数が前記第１の数よりも有意に小さい場合に実行され、
項目ｃ）の前記送信する段階は、前記数が前記第１の数よりも実質的に小さいか、又は該数が該第１の数よりも大きくかつ前記第２の数よりも小さい場合に実行され、
項目ｄ）の前記送信する段階は、前記数が前記第２の数よりも大きい場合に実行され、かつ
項目ｅ）の前記送信する段階は、前記数が前記第２の数よりも大きい場合に実行される、
ことを特徴とする請求項８に記載の方法。
【請求項１０】
項目ａ）の前記送信する段階は、前記第１タイプの端末の数が全ての利用可能な端末の数に実質的に達した場合にも実行されることを特徴とする請求項９に記載の方法。
【請求項１１】
項目ｂ）の前記送信する段階は、前記数が前記第１の数よりも大きくかつ前記第２の数よりも小さい場合に前記ネットワークセルの部分集合に対して実行されることを特徴とする請求項９又は請求項１０に記載の方法。
【請求項１２】
項目ｃ）の前記送信する段階は、前記数が前記第２の数よりも実質的に小さい場合に実行されることを特徴とする請求項９から請求項１１のいずれか１項に記載の方法。
【請求項１３】
使用されるスキームに関するスキーム情報を信号伝達する段階を更に含むことを特徴とする請求項１から請求項１２のいずれか１項に記載の方法。
【請求項１４】
少なくとも１つの所定の位相変調による変調及び少なくとも１つの所定のスクランブリングシーケンスによるスクランブリングのうちの一方による受信した信号伝達情報に基づいて、第１タイプのネットワークセル及び該第１タイプとは異なる第２タイプのネットワークセルを検出する段階、
を含み、
前記変調及びスクランブリングのうちの前記一方は、前記第１タイプのネットワークセル及び前記第２タイプのネットワークセルを示すものである、
ことを特徴とする方法。
【請求項１５】
前記少なくとも１つの所定の位相変調によって前記信号伝達情報を復調する段階を更に含むことを特徴とする請求項１４に記載の方法。
【請求項１６】
前記少なくとも１つの所定のスクランブリングシーケンスによって前記信号伝達情報をスクランブル解除する段階を更に含むことを特徴とする請求項１４に記載の方法。
【請求項１７】
前記信号伝達情報を受信する段階を更に含むことを特徴とする請求項１４から請求項１６のいずれか１項に記載の方法。
【請求項１８】
前記検出する段階は、前記受信した信号伝達情報を仮説に対して試験する段階を更に含むことを特徴とする請求項１４から請求項１７のいずれか１項に記載の方法。
【請求項１９】
１組の同期情報から前記ネットワークセルの部分集合を逆参照する段階を更に含み、
前記信号伝達情報は、前記ネットワークセルの前記部分集合に対してのみ復調及びスクランブル解除のうちの一方を受ける、
ことを特徴とする請求項１４から請求項１８のいずれか１項に記載の方法。
【請求項２０】
信号伝達された制御情報を受信する段階を更に含み、
前記検出する段階は、前記受信した制御情報と補助的な指示としての前記受信した信号伝達情報とに基づいて実行される、
ことを特徴とする請求項１４から請求項１９のいずれか１項に記載の方法。
【請求項２１】
ｉ）少なくとも１つの所定の互いに対する位相関係を有する１次同期信号及び参照信号、
ｉｉ）少なくとも１つの所定の互いに対する位相関係を有する２次同期信号及び参照信号、又は
ｉｉｉ）少なくとも１つの所定の互いに対する位相関係を有する２次同期信号及び１次同期信号、
のうちの１つの受信に基づいて、第１タイプのネットワークセル及び該第１タイプとは異なる第２タイプのネットワークセルを検出する段階、
を含み、
前記少なくとも１つの位相関係は、第１タイプのネットワークセル及び該第１タイプとは異なる第２タイプのネットワークセルを示すものである、
ことを特徴とする方法。
【請求項２２】
第１タイプのネットワークセルを示す受信した指示情報に基づいて該第１タイプのネットワークセル及び該第１タイプとは異なる第２タイプのネットワークセルを検出する段階、
を含み、
前記検出する段階は、
ａ）ブロードキャストされた制御情報を受信し、受信される前記指示情報が指示フラグである段階、
ｂ）１組の同期情報から前記第１タイプのネットワークセルを逆参照する段階、及びブロードキャストされた制御情報を受信し、受信される前記指示情報が該同期情報である段階、
ｃ）前記第１タイプのネットワークセルに対する少なくとも１つの信号伝達コード情報をリザーブし、受信する前記指示情報が該信号伝達コード情報である段階、
ｄ）請求項１４から請求項２０のいずれか１項に従って受信する段階、及び
ｅ）請求項２１に従って受信する段階、
のうちの少なくとも１つを含む、
ことを特徴とする方法。
【請求項２３】
前記信号伝達情報は、参照信号によって構成され、
前記第１タイプのネットワークセルは、閉鎖加入者群ネットワークセルによって構成され、
前記第２タイプのネットワークセルは、非閉鎖加入者群ネットワークセル及びマクロセルのうちの一方によって構成され、
前記同期情報の組は、１次同期信号及び２次同期信号の対によって構成され、かつ
前記制御信号は、ブロードキャスト制御チャンネル及び１次ブロードキャストチャンネルのうちの一方によって構成される、
ことのうちの少なくとも１つが適用されることを特徴とする請求項１から請求項６及び請求項１４から請求項２０のいずれか１項に記載の方法。
【請求項２４】
前記第１タイプのネットワークセルは、閉鎖加入者群ネットワークセルによって構成され、かつ
前記第２タイプのネットワークセルは、非閉鎖加入者群ネットワークセル及びマクロセルのうちの一方によって構成される、
ことのうちの少なくとも一方が適用されることを特徴とする請求項７及び請求項２１のいずれか１項に記載の方法。
【請求項２５】
前記信号伝達情報は、参照信号によって構成され、
前記第１タイプのネットワークセルは、閉鎖加入者群ネットワークセルによって構成され、
前記第２タイプのネットワークセルは、非閉鎖加入者群ネットワークセル及びマクロセルのうちの一方によって構成され、
前記同期情報の組は、１次同期信号及び２次同期信号の対によって構成され、
前記制御情報は、ブロードキャスト制御チャンネル及び１次ブロードキャストチャンネルのうちの一方によって構成され、
前記第１の数は、１６８であり、
前記第２の数は、３３７及び５０４の一方であり、
前記指示フラグは、閉鎖加入者群フラグによって構成され、かつ
前記信号伝達コード情報は、１次同期信号コードによって構成される、
ことのうちの少なくとも１つが適用されることを特徴とする請求項８から請求項１３及び請求項２２から請求項２４のいずれか１項に記載の方法。
【請求項２６】
使用されたスキームに関する信号伝達されたスキーム情報を受信する段階を更に含み、
前記検出する段階は、使用される前記信号伝達されたスキームに基づいて実行される、
ことを特徴とする請求項１４から請求項２５のいずれか１項に記載の方法。
【請求項２７】
少なくとも１つの所定の位相変調による変調及び少なくとも１つの所定のスクランブリングシーケンスによるスクランブリングのうちの一方による信号伝達情報を送信するための手段、
を含み、
前記変調及びスクランブリングのうちの前記一方は、第１タイプのネットワークセル及び該第１タイプとは異なる第２タイプのネットワークセルを示すものである、
ことを特徴とする装置。
【請求項２８】
前記信号伝達情報に変調及びスクランブリングのうちの前記一方を受けさせるための手段を更に含むことを特徴とする請求項２７に記載の装置。
【請求項２９】
前記少なくとも１つの所定の位相変調によって前記信号伝達情報を変調するための手段を更に含むことを特徴とする請求項２７又は請求項２８に記載の装置。
【請求項３０】
前記少なくとも１つの所定のスクランブリングシーケンスによって前記信号伝達情報にスクランブルをかけるための手段を更に含むことを特徴とする請求項２７又は請求項２８に記載の装置。
【請求項３１】
１組の同期情報を前記ネットワークセルの部分集合に割り当てるための手段を更に含み、
受けさせるための手段は、前記ネットワークセルの前記部分集合に対してのみ前記信号伝達情報に前記変調及びスクランブリングのうちの前記一方を受けさせるように構成される、
ことを特徴とする請求項２８から請求項３０のいずれか１項に記載の装置。
【請求項３２】
制御情報を信号伝達するための手段を更に含み、
前記送信するための手段は、前記信号伝達するための手段によって実行される信号伝達に対する補助的指示として送信するように構成される、
ことを特徴とする請求項２７から請求項３１のいずれか１項に記載の装置。
【請求項３３】
ｉ）少なくとも１つの所定の互いに対する位相関係を有する１次同期信号及び参照信号、
ｉｉ）少なくとも１つの所定の互いに対する位相関係を有する２次同期信号及び参照信号、又は
ｉｉｉ）少なくとも１つの所定の互いに対する位相関係を有する１次同期信号及び２次同期信号、
のうちの１つを送信するための手段、
を含み、
前記少なくとも１つの位相関係は、第１タイプのネットワークセル及び該第１タイプとは異なる第２タイプのネットワークセルを示すものである、
ことを特徴とする装置。
【請求項３４】
第２タイプのネットワークセルとは異なる第１タイプのネットワークセルを示す指示情報を送信するための手段、
を含み、
前記送信するための手段は、
ａ）制御情報をブロードキャストし、送信される前記指示情報が指示フラグであるための手段、
ｂ）１組の同期情報を前記第１タイプのネットワークセルに割り当てるための手段、及び制御情報をブロードキャストし、送信される前記指示情報が該同期情報であるための手段、
ｃ）前記第１タイプのネットワークセルに対する少なくとも１つの信号伝達コード情報をリザーブし、送信される前記指示情報が該信号伝達コード情報であるための手段、
ｄ）請求項２７から請求項３２のいずれか１項に従って送信するための手段、及び
ｅ）請求項３３に従って送信するための手段、
のうちの少なくとも１つを更に含む、
ことを特徴とする装置。
【請求項３５】
指示情報を送信するための前記手段は、前記第１タイプのネットワークセルに対するネットワークセルＩＤの数、該第１タイプのネットワークセルに対するネットワークセルＩＤの第１の数、及び該第１タイプのネットワークセルに対するネットワークセルＩＤの第２の数に基づいて送信するように構成され、該数及び該第１及び第２の数は、１に等しいか又はそれよりも大きい整数であり、該第２の数は、該第１の数よりも大きく、
前記送信するための手段は、
前記数がゼロに実質的に等しい場合に前記項目ａ）の手段、
前記数が前記第１の数よりも有意に小さい場合に前記項目ｂ）の手段、
前記数が前記第１の数よりも実質的に小さいか、又は該数が該第１の数よりも大きくかつ前記第２の数よりも小さい場合に前記項目ｃ）の手段、
前記数が前記第２の数よりも大きい場合に前記項目ｄ）の手段、及び
前記数が前記第２の数よりも大きい場合に前記項目ｅ）の手段、
のうちの少なくとも１つを含む、
ことを特徴とする請求項３４に記載の装置。
【請求項３６】
項目ａ）の前記送信するための手段は、前記第１タイプの端末の数が全ての利用可能な端末の数に実質的に達した場合にも送信するように構成されることを特徴とする請求項３５に記載の装置。
【請求項３７】
項目ｂ）の前記送信するための手段は、前記数が前記第１の数よりも大きくかつ前記第２の数よりも小さい場合に前記ネットワークセルの部分集合に対して送信するように構成されることを特徴とする請求項３５又は請求項３６に記載の装置。
【請求項３８】
項目ｃ）の前記送信するための手段は、前記数が前記第２の数よりも実質的に小さい場合に送信するように構成されることを特徴とする請求項３５から請求項３７のいずれか１項に記載の装置。
【請求項３９】
使用されるスキームに関するスキーム情報を信号伝達するための手段を更に含むことを特徴とする請求項２７から請求項３８のいずれか１項に記載の装置。
【請求項４０】
少なくとも１つの所定の位相変調による変調及び少なくとも１つの所定のスクランブリングシーケンスによるスクランブリングのうちの一方による受信した信号伝達情報に基づいて、第１タイプのネットワークセル及び該第１タイプとは異なる第２タイプのネットワークセルを検出するための手段、
を含み、
前記変調及びスクランブリングのうちの前記一方は、前記第１タイプのネットワークセル及び前記第２タイプのネットワークセルを示すものである、
ことを特徴とする装置。
【請求項４１】
前記少なくとも１つの所定の位相変調によって前記信号伝達情報を復調するための手段を更に含むことを特徴とする請求項４０に記載の装置。
【請求項４２】
前記少なくとも１つの所定のスクランブリングシーケンスによって前記信号伝達情報をスクランブル解除するための手段を更に含むことを特徴とする請求項４０に記載の装置。
【請求項４３】
前記信号伝達情報を受信するための手段を更に含むことを特徴とする請求項４０から請求項４２のいずれか１項に記載の装置。
【請求項４４】
前記検出するための手段は、前記受信した信号伝達情報を仮説に対して試験するための手段を更に含むことを特徴とする請求項４０から請求項４３のいずれか１項に記載の装置。
【請求項４５】
１組の同期情報から前記ネットワークセルの部分集合を逆参照するための手段を更に含み、
前記信号伝達情報を復調するための前記手段及びスクランブル解除するための前記手段のうちの一方は、前記ネットワークセルの前記部分集合に対してのみ復調又はスクランブル解除するように構成される、
ことを特徴とする請求項４１から請求項４４のいずれか１項に記載の装置。
【請求項４６】
信号伝達された制御情報を受信するための手段を更に含み、
前記検出するための手段は、前記第２の受信するための手段によって受信した前記制御情報と、前記受信するための手段によって補助的指示として受信した前記信号伝達情報とに基づいて検出するように構成される、
ことを特徴とする請求項４０から請求項４５のいずれか１項に記載の装置。
【請求項４７】
ｉ）少なくとも１つの所定の互いに対する位相関係を有する１次同期信号及び参照信号、
ｉｉ）少なくとも１つの所定の互いに対する位相関係を有する２次同期信号及び参照信号、又は
ｉｉｉ）少なくとも１つの所定の互いに対する位相関係を有する１次同期信号及び２次同期信号、
のうちの１つの受信するための手段による受信に基づいて、第１タイプのネットワークセル及び該第１タイプとは異なる第２タイプのネットワークセルを検出するための手段、
を含み、
前記少なくとも１つの位相関係は、前記第１タイプのネットワークセル及び前記第２タイプのネットワークセルを示すものである、
ことを特徴とする装置。
【請求項４８】
前記第１タイプのネットワークセルを示す受信した指示情報に基づいて、第１タイプのネットワークセル及び該第１タイプとは異なる第２タイプのネットワークセルを検出するための手段、
を含み、
前記検出するための手段は、
ａ）指示フラグとして受信した前記指示情報、
ｂ）１組の同期情報から前記第１タイプのネットワークセルを逆参照するための手段、及びブロードキャストされた制御情報を受信し、受信される前記指示情報が該同期情報であるための手段、
ｃ）前記第１タイプのネットワークセルに対する少なくとも１つの信号伝達コード情報をリザーブし、受信した前記指示情報が該信号伝達コード情報であるための手段、
ｄ）請求項４０から請求項４６のいずれか１項に従って受信するための手段、及び
ｅ）請求項４７に従って受信するための手段、
のうちの少なくとも１つを含む、
ことを特徴とする装置。
【請求項４９】
前記信号伝達情報は、参照信号によって構成され、
前記第１タイプのネットワークセルは、閉鎖加入者群ネットワークセルによって構成され、
前記第２タイプのネットワークセルは、非閉鎖加入者群ネットワークセル及びマクロセルのうちの一方によって構成され、
前記同期情報の組は、１次同期信号及び２次同期信号の対によって構成され、かつ
前記制御情報は、ブロードキャスト制御チャンネル及び１次ブロードキャストチャンネルのうちの一方によって構成される、
ことのうちの少なくとも１つが適用されることを特徴とする請求項２７から請求項３２及び請求項４０から請求項４６のいずれか１項に記載の装置。
【請求項５０】
前記第１タイプのネットワークセルは、閉鎖加入者群ネットワークセルによって構成され、かつ
前記第２タイプのネットワークセルは、非閉鎖加入者群ネットワークセル及びマクロセルのうちの一方によって構成される、
ことのうちの少なくとも一方が適用されることを特徴とする請求項３３及び請求項４７のいずれか１項に記載の装置。
【請求項５１】
前記信号伝達情報は、参照信号によって構成され、
前記第１タイプのネットワークセルは、閉鎖加入者群ネットワークセルによって構成され、
前記第２タイプのネットワークセルは、非閉鎖加入者群ネットワークセル及びマクロセルのうちの一方によって構成され、
前記同期情報の組は、１次同期信号及び２次同期信号の対によって構成され、
前記制御情報は、ブロードキャスト制御チャンネル及び１次ブロードキャストチャンネルのうちの一方によって構成され、
前記第１の数は、１６８であり、
前記第２の数は、３３７及び５０４の一方であり、
前記指示フラグは、閉鎖加入者群フラグによって構成され、かつ
前記信号伝達コード情報は、１次同期信号コードによって構成される、
ことのうちの少なくとも１つが適用されることを特徴とする請求項３４から請求項３９及び請求項４８のいずれか１項に記載の装置。
【請求項５２】
使用されたスキームに関する信号伝達されたスキーム情報を受信するための手段を更に含み、
前記検出するための手段は、使用される前記信号伝達されたスキームに基づいて検出するように構成される、
ことを特徴とする請求項２７から請求項５１のいずれか１項に記載の装置。
【請求項５３】
家庭発展型ノードＢ及びマクロセルノードＢのうちの一方によって構成されることを特徴とする請求項２７から請求項３９及び請求項４９から請求項５１のいずれか１項に記載の装置。
【請求項５４】
ユーザ機器によって構成されることを特徴とする請求項４０から請求項４８、請求項５２、及び請求項４９から請求項５１のいずれか１項に記載の装置。
【請求項５５】
送信するための手段、受けさせるための手段、変調するための手段、スクランブルするための手段、割り当てるための手段、信号伝達するための手段、検出するための手段、復調するための手段、スクランブル解除するための手段、逆参照するための手段、受信するための手段、試験するための手段、及び装置のうちの少なくとも１つ又はそれよりも多くは、チップセット又はモジュールとして実施されることを特徴とする請求項２７から請求項５３のいずれか１項に記載の装置。
【請求項５６】
請求項２７から請求項３９及び請求項４９から請求項５１のいずれか１項に記載の少なくとも１つの家庭発展型ノードＢと、
請求項４０から請求項４８、請求項５２、及び請求項４９から請求項５１のいずれか１項に記載のユーザ機器と、
を含むことを特徴とするシステム。
【請求項５７】
処理手段又はモジュール上で実行された時に請求項１から請求項２６のいずれか１項に記載の方法の方法段階を実行するためのコード手段、
を含むことを特徴とするコンピュータプログラム製品。
【発明の詳細な説明】
【技術分野】
【０００１】
本発明は、セルタイプ検出に関する。特に、本発明は、セルタイプ検出の方法、装置、システム、及び、これに関連したコンピュータプログラムに関する。本発明の実施例は、第３世代パートナーシッププロジェクト（３ＧＰＰ）長期発展において標準化されているユニバーサル・モバイル・テレコミュニケーション・システム（ＵＭＴＳ）地上無線アクセスネットワーク（ＵＴＲＡＮ）、発展型ＵＴＲＡＮ／長期発展（Ｅ−ＵＴＲＡＮ／ＬＴＥ）のような様々なタイプのものとすることができるセルを備えた通信システムに適用可能とすることができる。
【背景技術】
【０００２】
３ＧＰＰは、例えば３ＧＰＰ仕様のリリース８の一部として第３世代（３Ｇ）ＬＴＥを指定する。ＬＴＥの次のリリース（ＬＴＥ、例えば、リリース９）及び恐らくリリース８も、閉鎖加入群セル（ＣＳＧ、家庭発展型ノードＢ（ｅＮＢ）としても公知）及び非ＣＳＧセル（マクロセルとしても公知）の両方をサポートすることができる。また、ユーザ機器（ＵＥ）（例えば、端末）は、ＣＳＧ及び非ＣＳＧ区分に従って分類することができ、すなわち、一部の端末は、マクロセル及びＣＳＧセルの両方へのアクセスを取得することができ、一部の他の端末は、ＣＳＧセルにアクセスする機能を持たない。
【０００３】
一部のＵＥ手順（例えば、同様の移動性又はセル識別など）が、アクセスされるセルのタイプ（例えば、セル選択又はセル再選択又はハンドオーバを通じてアクセスされる）に依存し、一部のＵＥが、ＣＳＧセルにアクセスすることができないので、ＵＥが、ＣＳＧと非ＣＳＧセル間を区別することができることが妥当である。
【０００４】
更に、ＣＳＧに対応できないＵＥ又はＨ（ｅ）ＮＢのようないずれのＣＳＧセルにも登録されていないＵＥが、例えば、マクロ（ｅ）ＮＢを作動させることができる同じ周波数帯域にＣＳＧセルが配置されているという事実によって増加した電力消費をもたらす場合があるということは、避けることができると考えられる。これは、例えば、セルがセル選択又はセル再選択のようなアイドルモード測定手順中に及びハンドオーバ中の接続モードにおいても非常に遅い制限されたアクセスを有することをＵＥが検出する場合に当て嵌まるであろう。
【０００５】
最悪のシナリオは、例えば、ＣＳＧに対応できないＵＥが両方の側にＨ（ｅ）ＮＢを備えた家を含む道路に沿って移動する場合であると考えられる。こうして、これらのセルがハンドオーバ又はキャンピングに対して該当しないという早期の指示が存在しない場合、ＵＥの電力消費は、全てのこれらのセルがアクセスを許可されていない家庭用セルであることをＵＥが早期に検出する場合に比べて劇的に増加すると考えられる。
【０００６】
上述の欠点に対処する手法が存在している。
【０００７】
ＣＳＧと非ＣＳＧセルを区別するための１つのこのような手法（例えば、３ＧＰＰ無線アクセスネットワーク（ＲＡＮ）作業群２（ＷＧ２）を参照）は、例えば、ダウンリンク共有チャンネル／物理的ダウンリンク共有チャンネル（ＤＬ−ＳＣＨ／ＰＤＳＣＨ）を通じて、各セルのブロードキャスト制御チャンネル（ＢＣＣＨ）にＣＳＧフラグ（すなわち、１ビット）を含めることにあると考えられる。
【０００８】
上述の手法の潜在的な欠点は、セルタイプを識別するために、ＵＥは、例えば、ＣＳＧ情報がＢＣＣＨシステム情報で符号化され、かつ次にセルが適用できないことが見出された場合、全セル検索（ＰＳＳ及びＳＳＳ検出）を実行し、次に、物理的ブロードキャストチャンネル（ＰＢＣＨ）を復調／復号し、最後にＢＣＣＨを復調／復号しなくてはならない場合があるということにあると考えられる。物理層セルＩＤのリザーブレンジがＢＣＣＨシステム情報内で送信された場合、ＵＥは、少なくとも一度ＢＣＣＨを復号しなくてはならない場合がある。
【０００９】
更に別の潜在的な欠点は、上述の手順は、ＣＳＧセルにアクセスできないＵＥに対してさえも、セルタイプが識別される前に付加的なＵＥ電力消費及び遅延を招く場合があるということにあると考えられる。更に別の潜在的な欠点は、非アクセス制限を有するマクロセル（非ＣＳＧセル）に対する物理セルＩＤの数を制限することにより、ネットワークプランニングがオペレータに対してより困難になることにあると考えられる。
【００１０】
更に別の潜在的な欠点は、アクセス制限を有するＣＳＧセルに対する物理セルＩＤの数を制限することにより、これらのセルの構成が、特にこのようなセルの非常に大きな数が小さなエリアに設定された場合に困難になる場合があることにあると考えられる。
【先行技術文献】
【非特許文献】
【００１１】
【非特許文献１】「発展型ユニバーサル地上無線アクセス（Ｅ−ＵＴＲＡ）、物理チャンネル及び変調」、「３ＧＰＰ  ＴＳ  ３６．２１１」、８．３．０巻、６．１１．１．１章「シーケンス生成」
【非特許文献２】「ＴＳ  ３６．２１１」ｖ８．２．０
【発明の概要】
【発明が解決しようとする課題】
【００１２】
上述のことを考慮して、上述の欠点の１つ又はそれよりも多くを克服することが、本発明の実施例の目的である。特に、本発明は、セルタイプ検出の方法、装置、システム、及び関連のコンピュータプログラム製品を提供する。
【課題を解決するための手段】
【００１３】
本発明の実施例によると、第１の態様で、この目的は、例えば、少なくとも１つの所定の位相変調による変調及び少なくとも１つの所定のスクランブリングシーケンスによるスクランブリングのうちの一方による信号伝達情報を送信する段階を含む方法によって達成され、変調及びスクランブリングの一方は、第１タイプのネットワークセル及び第１タイプとは異なる第２タイプのネットワークセルを示すものである。
【００１４】
第１の態様の下で定められる本発明の実施例の更に別の改良によると、
−本方法は、変調及びスクランブリングの一方を信号伝達情報に受けさせる段階を更に含み、
−本方法は、少なくとも１つの所定の位相変調によって信号伝達情報を変調する段階を更に含み、
−本方法は、少なくとも１つの所定のスクランブリングシーケンスによって信号伝達情報にスクランブルをかける段階を更に含み、
−本方法は、１組の同期情報をネットワークセルの部分集合に割り当てる段階を更に含み、信号伝達情報は、ネットワークセルの部分集合に対してのみ変調及びスクランブリングの一方を受け、
−本方法は、制御情報を信号伝達する段階を更に含み、送信する段階は、信号伝達する段階に対する補助的な指示として実行される。
【００１５】
本発明の実施例によると、第２の態様で、この目的は、例えば、ｉ）少なくとも１つの所定の互いに対する位相関係を有する１次同期信号及び参照信号、ｉｉ）少なくとも１つの所定の互いに対する位相関係を有する２次同期信号及び参照信号、又はｉｉｉ）少なくとも１つの所定の互いに対する位相関係を有する１次同期信号及び２次同期信号のうちの１つを送信する段階を含む方法によって達成され、少なくとも１つの位相関係は、第１タイプのネットワークセル及び第１タイプとは異なる第２タイプのネットワークセルを示すものである。
【００１６】
本発明の実施例によると、第３の態様では、この目的は、例えば、第２タイプのネットワークセルとは異なる第１タイプのネットワークセルを示す指示情報を送信する段階を含む方法によって達成され、送信する段階は、ａ）制御情報をブロードキャストし、送信される指示情報が指示フラグである段階、ｂ）１組の同期情報を第１タイプのネットワークセルに割り当てて、制御情報をブロードキャストし、送信される指示情報が同期情報である段階、ｃ）第１タイプのネットワークセルに対する少なくとも１つの信号伝達コード情報をリザーブし、送信される指示情報が信号伝達コード情報である段階、ｄ）第１の態様に従って送信する段階、及びｅ）第２の態様に従って送信する段階のうちの少なくとも１つを含む。
【００１７】
第３の態様の下で定められる本発明の実施例の更に別の改良によると、
−指示情報の送信する段階は、第１タイプのネットワークセルに対するネットワークセルＩＤの数、第１タイプのネットワークセルに対するネットワークセルＩＤの第１の数、及び第１タイプのネットワークセルに対するネットワークセルＩＤの第２の数に基づいており、この数及び第１及び第２の数は、１に等しいか又はそれよりも大きい整数であり、第２の数は、第１の数よりも大きく、項目ａ）の送信は、この数が実質的にゼロに等しい場合に実行され、項目ｂ）の送信は、この数が第１の数よりも有意に小さい場合に実行され、項目ｃ）の送信は、この数が第１の数よりも実質的に小さい場合又はこの数が第１の数よりも大きくかつ第２の数よりも小さい場合に実行され、項目ｄ）の送信は、この数が第２の数よりも大きい場合に実行され、項目ｅ）の送信は、この数が第２の数よりも大きい場合に実行され、
−項目ａ）の送信はまた、第１タイプの端末の数が全ての利用可能な端末の数に実質的に達した場合に実行され、
−項目ｂ）の送信は、この数が第１の数よりも大きくかつ第２の数よりも小さい場合にネットワークセルの部分集合に対して実行され、
−項目ｃ）の送信は、この数が第２の数よりも実質的に小さい場合に実行される。
【００１８】
第１から第３の態様の下で定められる本発明の実施例の更に別の改良によると、
−本方法は、使用されるスキームに関するスキーム情報を信号伝達する段階を更に含む。
【００１９】
本発明の実施例によると、第４の態様で、この目的は、例えば、少なくとも１つの所定の位相変調による変調及び少なくとも１つの所定のスクランブリングシーケンスによるスクランブリングのうちの一方による受信した信号伝達情報に基づいて、第１タイプのネットワークセルと第１タイプとは異なる第２タイプのネットワークセルとを検出する段階を含む方法によって達成され、変調及びスクランブリングの一方は、第１タイプのネットワークセルと第２タイプのネットワークセルとを示すものである。
【００２０】
第４の態様の下で定められる本発明の実施例の更に別の改良によると、
−本方法は、少なくとも１つの所定の位相変調によって信号伝達情報を復調する段階を更に含み、
−本方法は、少なくとも１つの所定のスクランブリングシーケンスによって信号伝達情報をスクランブル解除する段階を更に含み、
−本方法は、信号伝達情報を受信する段階を更に含み、
−検出する段階は、受信した信号伝達情報を仮説に対して試験する段階を更に含み、
−本方法は、１組の同期情報からネットワークの部分集合を逆参照する段階を更に含み、信号伝達情報は、ネットワークセルの部分集合に対してのみ復調及びスクランブル解除の一方を受け、
−本方法は、信号伝達された制御情報を受信する段階を更に含み、検出する段階は、受信制御情報に基づいてかつ補助的な指示として受信した信号伝達情報に基づいて実行される。
【００２１】
本発明の実施例によると、第５の態様で、この目的は、例えば、ｉ）少なくとも１つの所定の互いに対する位相関係を有する１次同期信号及び参照信号、ｉｉ）少なくとも１つの所定の互いに対する位相関係を有する２次同期信号及び参照信号、又はｉｉｉ）少なくとも１つの所定の互いに対する位相関係を有する２次同期信号及び１次同期信号のうちの１つの受信に基づいて、第１タイプのネットワークセル及び第１タイプとは異なる第２タイプのネットワークセルを検出する段階を含む方法によって達成され、少なくとも１つの位相関係は、第１タイプのネットワークセル及び第１タイプとは異なる第２タイプのネットワークセルを示すものである。
【００２２】
本発明の実施例によると、第６の態様で、この目的は、例えば、第１タイプのネットワークセルを示す受信指示情報に基づいて、第１タイプのネットワークセル及び第１タイプとは異なる第２タイプのネットワークセルを検出する段階を含む方法によって達成され、検出する段階は、ａ）ブロードキャストされた制御情報を受信し、受信される指示情報が指示フラグである段階、ｂ）１組の同期情報から第１タイプのネットワークセルを逆参照し、ブロードキャストされた制御情報を受信し、受信される指示情報が同期情報である段階、ｃ）第１タイプのネットワークセルに対する少なくとも１つの信号伝達コード情報をリザーブし、受信される指示情報が信号伝達コード情報である段階、ｄ）第４の態様に従って受信する段階、及びｅ）第５の態様に従って受信する段階のうちの少なくとも１つを含む。
【００２３】
第４から第６の態様の下で定められる本発明の実施例の更に別の改良によると、
−本方法は、使用されたスキームに関する信号伝達されたスキーム情報を受信する段階を更に含み、検出する段階は、使用される信号伝達されたスキームに基づいて実行される。
【００２４】
第１から第６の態様の下で定められる本発明の実施例の更に別の改良によると、
−信号伝達情報は、参照信号によって構成され、
−第１タイプのネットワークセルは、閉鎖加入者群ネットワークセルによって構成され、
−第２タイプのネットワークセルは、非閉鎖加入者群ネットワークセル及びマクロセルのうちの一方によって構成され、
−同期情報の組は、１次同期信号及び２次同期信号の対によって構成され、
−制御情報は、ブロードキャスト制御チャンネル及び１次ブロードキャストチャンネルのうちの一方によって構成され、
−第１の数は、１６８であり
−第２の数は、３３７及び５０４の一方であり、
−指示フラグは、閉鎖加入者群フラグによって構成され、
−信号伝達コード情報は、１次同期信号コードによって構成される。
【００２５】
本発明の実施例によると、第７の態様で、この目的は、例えば、少なくとも１つの所定の位相変調による変調及び少なくとも１つの所定のスクランブリングシーケンスによるスクランブリングのうちの一方による信号伝達情報を送信するための手段を含む装置によって達成され、変調及びスクランブリングの一方は、第１タイプのネットワークセル及び第１タイプとは異なる第２タイプのネットワークセルを示すものである。
【００２６】
第７の態様の下で定められる本発明の実施例の更に別の改良によると、
−装置は、信号伝達情報に対して変調及びスクランブリングのうちの一方を受けさせるための手段を更に含み、
−装置は、少なくとも１つの所定の位相変調によって信号伝達情報を変調するための手段を更に含み、
−装置は、少なくとも１つの所定のスクランブリングシーケンスによって信号伝達情報にスクランブルをかけるための手段を更に含み、
−装置は、１組の同期情報をネットワークセルの部分集合に割り当てるための手段を更に含み、上述の受けさせるための手段は、ネットワークセルの部分集合に対してのみ変調及びスクランブリングのうちの一方を信号伝達情報に受けさせるように構成され、
−装置は、制御情報を信号伝達するための手段を更に含み、上述の送信するための手段は、信号伝達するための手段によって実行される信号伝達に対する補助的な指示として送信するように構成される。
【００２７】
本発明の実施例によると、第８の態様で、この目的は、例えば、ｉ）少なくとも１つの所定の互いに対する位相関係を有する１次同期信号及び参照信号、ｉｉ）少なくとも１つの所定の互いに対する位相関係を有する２次同期信号及び参照信号、又はｉｉｉ）少なくとも１つの所定の互いに対する位相関係を有する１次同期信号及び２次同期信号のうちの１つを送信するための手段を含む装置によって達成され、少なくとも１つの位相関係は、第１タイプのネットワークセル及び第１タイプとは異なる第２タイプのネットワークセルを示すものである。
【００２８】
本発明の実施例によると、第９の態様で、この目的は、例えば、第２タイプのネットワークセルとは異なる第１タイプのネットワークセルを示す指示情報を送信するための手段を含む装置によって達成され、送信するための手段は、ａ）制御情報をブロードキャストし、送信される指示情報が指示フラグであるための手段、ｂ）１組の同期情報を第１タイプのネットワークセルに割り当てるための手段、及び制御情報をブロードキャストし、送信される指示情報が同期情報であるための手段、ｃ）第１タイプのネットワークセルに対する少なくとも１つの信号伝達コード情報をリザーブし、送信される指示情報が信号伝達コード情報であるための手段、ｄ）第７の態様に従って送信するための手段、及びｅ）第８の態様に従って送信するための手段のうちの少なくとも１つを更に含む。
【００２９】
第９の態様の下で定められる本発明の実施例の更に別の改良によると、
−指示情報を送信するための手段は、第１タイプのネットワークセルに対するネットワークセルＩＤの数、第１タイプのネットワークセルに対するネットワークセルＩＤの第１の数、及び第１タイプのネットワークセルに対するネットワークセルＩＤの第２の数に基づいて送信するように構成され、この数及び第１及び第２の数は、１に等しいか又はそれよりも大きい整数であり、第２の数は、第１の数よりも大きく、送信するための手段は、この数がゼロに実質的に等しい場合に項目ａ）の手段、この数が第１の数よりも有意に小さい場合に項目ｂ）の手段、この数が第１の数よりも実質的に小さいか、又はこの数が第１の数よりも大きくかつ第２の数よりも小さい場合に項目ｃ）の手段、この数が第２の数よりも大きい場合に項目ｄ）の手段、及びこの数が第２の数よりも大きい場合に項目ｅ）の手段のうちの少なくとも１つを含み、
−項目ａ）の送信するための手段は、第１タイプの端末の数が全ての利用可能な端末の数に実質的に達した場合にも送信するように構成され、
−項目ｂ）の送信するための手段は、この数が第１の数よりも大きくかつ第２の数よりも小さい場合にネットワークセルの部分集合に対して送信するように構成され、
−項目ｃ）の送信するための手段は、この数が第２の数よりも実質的に小さい場合に送信するように構成される。
【００３０】
第７から第９の態様の下で定められる本発明の実施例の更に別の改良によると、
−装置は、使用されるスキームに関するスキーム情報を信号伝達するための手段を更に含む。
【００３１】
本発明の実施例によると、第１０の態様で、この目的は、例えば、少なくとも１つの所定の位相変調による変調及び少なくとも１つの所定のスクランブリングシーケンスによるスクランブリングのうちの一方による受信した信号伝達情報に基づいて、第１タイプのネットワークセル及び第１タイプとは異なる第２タイプのネットワークセルを検出するための手段を含む装置によって達成され、変調及びスクランブリングの一方は、第１タイプのネットワークセル及び第２タイプのネットワークセルを示すものである。
【００３２】
第７から第１０の態様の下で定められる本発明の実施例の更に別の改良によると、
−装置は、少なくとも１つの所定の位相変調によって信号伝達情報を復調するための手段を更に含み、
−装置は、少なくとも１つの所定のスクランブリングシーケンスによって信号伝達情報をスクランブル解除するための手段を更に含み、
−装置は、信号伝達情報を受信するための手段を更に含み、
−検出するための手段は、受信した信号伝達情報を仮説に対して試験するための手段を更に含み、
−装置は、１組の同期情報からネットワークセルの部分集合を逆参照するための手段を更に含み、信号伝達情報を復調するための手段及びスクランブル解除するための手段のうちの一方は、ネットワークセルの部分集合に対してのみ復調又はスクランブル解除するように構成され、
−装置は、信号伝達された制御情報を受信するための手段を更に含み、検出するための手段は、受信するための第２の手段によって受信した制御情報と、補助的な指示として受信するための手段によって受信した信号伝達情報とに基づいて検出するように構成される。
【００３３】
本発明の実施例によると、第１１の態様で、この目的は、例えば、ｉ）少なくとも１つの所定の互いに対する位相関係を有する１次同期信号及び参照信号、ｉｉ）少なくとも１つの所定の互いに対する位相関係を有する２次同期信号及び参照信号、又はｉｉｉ）少なくとも１つの所定の互いに対する位相関係を有する１次同期信号及び２次同期信号のうちの１つの受信するための手段による受信に基づいて、第１タイプのネットワークセル及び第１タイプとは異なる第２タイプのネットワークセルを検出するための手段を含む装置によって達成され、少なくとも１つの位相関係は、第１タイプのネットワークセルと第２タイプのネットワークセルを示すものである。
【００３４】
本発明の実施例によると、第１２の態様で、この目的は、例えば、第１タイプのネットワークセルを示す受信した指示情報に基づいて、第１タイプのネットワークセル及び第１タイプとは異なる第２タイプのネットワークセルを検出するための手段を含む装置によって達成され、検出するための手段は、ａ）指示フラグとして受信した指示情報、ｂ）１組の同期情報から第１タイプのネットワークセルを逆参照するための手段、及びブロードキャストされた制御情報（ＢＣＣＨ）を受信し、受信する指示情報が同期情報であるための手段、ｃ）第１タイプのネットワークセルに対する少なくとも１つの信号伝達コード情報をリザーブし、受信する指示情報が信号伝達コード情報であるための手段、ｄ）第１０の態様に従って受信するための手段、及びｅ）第１１の態様に従って受信するための手段のうちの少なくとも１つを含む。
【００３５】
第７から第１２の態様の下で定められる本発明の実施例の更に別の改良によると、
−信号伝達情報は、参照信号によって構成され、
−第１タイプのネットワークセルは、閉鎖加入者群ネットワークセルによって構成され、
−第２タイプのネットワークセルは、非閉鎖加入者群ネットワークセル及びマクロセルのうちの一方によって構成され、
−同期情報の組は、１次同期信号と２次同期信号の対によって構成され、
−制御情報は、ブロードキャスト制御チャンネルと１次ブロードキャストチャンネルのうちの一方によって構成され、
−第１の数は、１６８であり、
−第２の数は、３３７と５０４の一方であり、
−指示フラグは、閉鎖加入者群フラグによって構成され、
−信号伝達コード情報は、１次同期信号コードによって構成され、
−送信するための手段、受けさせるための手段、変調するための手段、スクランブルするための手段、割り当てるための手段、信号伝達するための手段、検出するための手段、復調するための手段、スクランブル解除するための手段、逆参照するための手段、受信するための手段、試験するための手段、及び装置のうちの少なくとも１つ又はそれよりも多くは、チップセット又はモジュールとして実施される。
【００３６】
第７から第９の態様の下で定められる本発明の実施例の更に別の改良によると、
−装置は、家庭発展型ノードＢ及びマクロセルノードＢのうちの一方によって構成される。
【００３７】
第１０から第１２の態様の下で定められる本発明の実施例の更に別の改良によると、
−装置は、使用されたスキームに関する信号伝達されたスキーム情報を受信するための手段を更に含み、検出するための手段は、使用される信号伝達されたスキームに基づいて検出するように構成され、
−装置は、ユーザ機器によって構成される。
【００３８】
本発明の実施例によると、第１３の態様で、この目的は、例えば、第７から第９の態様に従う少なくとも１つの家庭発展型ノードＢと、第１０から第１２の態様に従うユーザ機器とを含むシステムによって達成される。
【００３９】
本発明の実施例によると、第１４の態様で、この目的は、例えば、処理手段又はモジュール上で実行された時に第１から第６の態様に従う方法の方法段階を実行するためのコード手段を含むコンピュータプログラム製品によって達成される。
【００４０】
これに関連して、本発明の実施例は、以下の１つ又はそれよりも多くを可能にすることに注意すべきである。
−ＣＳＧセルとマクロセルを区別するための効率的で柔軟性のある方法／装置を準備する段階。
−例えばＢＣＣＨを通じて、ワイドエリアセル上での伝送を可能にする段階。
−例えばオペレータがマクロ配備（全ての加入者／ＵＥに対して開放である）と同じ搬送波周波数でＣＳＧノードを配備する場合のＣＳＧの早期の指示。
−非ＣＳＧセルに対して適用可能な物理的セルＩＤの数を制限する必要性を排除する段階。
−ＣＳＧセルに対して適用可能な物理的セルＩＤの数を制限する必要性を排除する段階。
−ＵＥに対して、ハードウエア変更に対する必要性を排除する段階及び大きなソフトウエア変更に対する必要性を軽減する段階。
−最小の複雑さでセル検索及び隣接セル測定相中に早期にＣＳＧ検出を可能にする段階。
−配備されたＣＳＧセルの数に関してオペレータに柔軟性を提供する段階。ＣＳＧセルの数が大きい場合、セルタイプは、第１セル検索段階で予め検出することができ（例えば、本明細書で以下に説明するスキーム１）、すなわち、非ＣＳＧのＵＥに対するＣＳＧセルの悪影響を最小にする段階。逆に、ＣＳＧセルの数がかなり低い場合、ＳＳＳ及び／又はＰＳＳコードをリザーブする必要はなく、すなわち、オペレータに対するネットワークプランニングを単純化する段階。
−ネットワーク／（ｅ）ＮＢに対して、マクロセルに対するセルＩＤの数の低減を排除する段階（すなわち、同じくＣＳＧセルに対するセルＩＤの同じ最大数を可能にする段階）。
−例えば、ＣＳＧセルにアクセスできないＵＥに対して、セルタイプが識別される前の付加的なＵＥ電力消費及び遅延を排除する段階。
【００４１】
本発明の実施例を添付の図面を参照して以下に説明する。
【図面の簡単な説明】
【００４２】
【図１】本発明の実施例に従うセルタイプ検出のための第１スキーム（スキーム１）を示す図である。
【図２】セルタイプ検出のための第２スキーム（スキーム２）を示す図である。
【図３】本発明の第１の実施例に従うセルタイプ検出のための第３スキーム（スキーム３）を示す図である。
【図４】本発明の第２の実施例に従うセルタイプ検出のための第４スキーム（スキーム４）を示す図である。
【図５】セルタイプ検出のための第５スキーム（スキーム５）を示す図である。
【図６】第３スキームを展開する本発明の第１の実施例に従うセルタイプ検出の方法を示す図である。
【図７】第３スキームを展開する本発明の第１の実施例に従うセルタイプ検出のための装置（例えば、ＵＥ２０１及びｅＮＢ２０２１）を示す図である。
【図８】第４スキームを展開する本発明の第２の実施例に従うセルタイプ検出の方法を示す図である。
【図９】第４スキームを展開する本発明の第２の実施例に従うセルタイプ検出のための装置（例えば、ＵＥ２０１及びｅＮＢ２０２１）を示す図である。
【図１０】第１から第５スキームの組合せを展開する本発明の第３の実施例に従うセルタイプ検出の方法を示す図である。
【図１１】第１から第５スキームの組合せを展開する本発明の第３の実施例に従うセルタイプ検出のための装置（例えば、ＵＥ２０１及びｅＮＢ２０２１）を示す図である。
【発明を実施するための形態】
【００４３】
本発明の実施例を添付の図面を参照して実施例によって以下に説明する。
【００４４】
この説明に関して、「参照信号、閉鎖加入者群ネットワークセル、非閉鎖加入者群ネットワークセル又はマクロセル、１次同期信号及び２次同期信号の対、ブロードキャスト制御チャンネル又は１次ブロードキャストチャンネル、１６８、３３７又は５０４、閉鎖加入者群フラグ、及び１次同期信号コード」という語は、「信号伝達情報、第１タイプのネットワークセル、第２タイプのネットワークセル、同期情報の組、制御情報、第１の数、第２の数、指示フラグ、及び信号伝達コード情報」のそれぞれに対する例であり、後で名付けられた語を最初に名付けられた語に課せられた特別な技術又は実施の詳細に制限するものではないことに注意されたい。
【００４５】
本発明の実施例によると、セルタイプ（例えば、ＣＳＧ対非ＣＳＧセル）を区別するための更に別の手法は、以下にあるとすることができる。
・使用されたＰＳＳコードとセル／搬送波タイプ間の１対１マッピングが存在するように１つのＰＳＳ（１次同期信号）コードをリザーブ又は追加する段階。この手法は、例えば、専用マルチメディアブロードキャスト／マルチキャストサービス（ＭＢＭＳ）単一周波数ネットワーク（ＭＢＳＦＮ）セル／搬送波とユニキャスト／混合セル／搬送波を区別するために適用可能である。
・セル／搬送波の異なるタイプに対してＰＳＳとＳＳＳ間の異なる相対時間距離を適用する段階。この手法は、例えば、周波数分割二重通信（ＦＤＤ）と時分割二重通信（ＴＤＤ）搬送波／セル間の差別化のために現在適用可能である。
・１つのセルタイプに対して物理層セルＩＤのある（最も適切に連続する）レンジをリザーブする（又は、新しいセルＩＤを追加する）などのセルタイプに対して残りのセルＩＤを使用する段階。ＣＳＧセルに対してリザーブされるセルＩＤのレンジは、例えば、ＢＣＣＨを通じて構成可能かつ信号伝達することができる。
【００４６】
図１は、本発明の実施例に従うセルタイプ検出のための第１のスキーム（スキーム１）を示している。図１に示すように、通信ネットワーク２００は、ＵＥ２０１及びネットワーク２０２を含むことができる。ネットワーク２０２は、次に、最大Ｎ個（Ｎは１に等しいか又はそれよりも大きい整数とする）のＣＳＧノードＢ（ＮＢ）２０２１及び最大Ｍ個（Ｍはゼロに等しいか又はそれよりも大きい整数とする）の非ＣＳＧＮＢ２０２１を含むことができる。
【００４７】
図１に示すように、スキーム１は、ＣＳＧセルに対して１つ（又は２つ）のＰＳＳコード１（及び２）をリザーブする段階にあるとすることができる。ＰＳＳコードは、ネットワーク２０２又はＮＢ２０２１のいずれか１つからＵＥ２０１に例えば同期信号で送信することができる。スキーム１により、ＣＳＧのＮＢ２０２１は、セル検索の第１段階で識別することができる。したがって、ＵＥ１がＣＳＧに対応できない場合、このようなＵＥは、そのＰＳＳコード又はＰＳＳコードのその組を一緒に検索しないようにすることができる。
【００４８】
スキーム１は、ＣＳＧセルの大きな数に対する必要性があり、ＣＳＧセルを識別するのに必要なセルＩＤの数が、ｎ0に近いか（例えば、１６８）（すなわち、ＣＳＧに対してリザーブされたＰＳＳコード１）又はｎ0よりも大きく（例えば、１６８）かつｎ1よりも小さいか又はこれに近い（例えば、３３７）（すなわち、ＣＳＧに対してリザーブされたＰＳＳコード１及び２）場合に適用可能とすることができる。ＣＳＧセルの数は、セルＩＤの数（例えば、ｎ0又はｎ1）よりも大きいとすることができることに注意されたい。更に、セルＩＤは、何らかの距離の後で再利用することができるが、１つのセルの付近では、セルＩＤは、一意的とすることができる。利用可能なより多くのセルＩＤが存在する場合、これらのセルＩＤの割り当てのプランニングは、より単純なものとすることができる。極端な場合には、ランダムな割り当てが、使用可能な割り当てをもたらすことができる（２つの隣接セルが偶然に同じセルＩＤを割り当てられる可能性が小さい場合）。利用可能なセルＩＤが少ない程、これらのセルＩＤを丁寧に割り当てなくてはならない。
【００４９】
非ＣＳＧセルに対するセルＩＤの大きな数に対する必要性が存在しない場合、スキーム１を利用することができ、例えば、これらのセルが厳密にプラニングされ、したがって、セルＩＤを頻繁に再利用することができ、結果として必要とされるセルＩＤが少なくて済むからである。
【００５０】
更に、使用されるＰＳＳコードは、ＣＳＧセルに対してＰＳＳコードを割り当てる時に利用可能な特性を有することができる。これは、ＬＴＥシステムに対して現在使用されているＣＳＧコードの場合である。これらのコードは、「発展型ユニバーサル地上無線アクセス（Ｅ−ＵＴＲＡ）、物理チャンネル及び変調」という名称の「３ＧＰＰ  ＴＳ  ３６．２１１」に規定されており、８．３．０巻、６．１１．１．１章「シーケンス生成」は、１次同期信号に使用されるシーケンスｄ（ｎ）が、以下の式に従って周波数領域でいわゆるＺａｄｏｆｆ−Ｃｈｕシーケンスから生成することができることを説明している。
【００５１】
【数１】
2011525738.tif 000003
【００５２】
ここで、Ｚａｄｏｆｆ−Ｃｈｕルートシーケンスインデックスｕは、下記の表１（「ＴＳ  ３６．２１１１」の表６．１１．１．１−１に対応する）によって与えられる。
【００５３】
（表１）
2011525738.tif 000004
【００５４】
規定されたシーケンスは、いわゆるＺａｄｏｆｆ−Ｃｈｕシーケンスである。これらのシーケンスの２つは、複素共役対称特性と呼ばれる特定の特性を有することができ、それによってこれらの２つのシーケンスは、例えば、検出をかなり効率的にする１つの相関器によって検出することができる。この第３シーケンスに対して、別の相関器を使用することができる。この第３ＰＳＳが、第１タイプに対して（例えば、ＣＳＧに対して）リザーブされている場合、第２タイプのＵＥ（例えば、非ＣＳＧ)は、ＵＥが全ての３ＰＳＳコードを検出しなくてはならない場合に比べて、その第３ＰＳＳの検索を阻止することができ、第２相関器を使用する必要がなくなり、複雑さを軽減し、電力消費を招くことなく、結果的にバッテリドレーンを少なくすることができる。
【００５５】
２つのＺａｄｏｆｆ−Ｃｈｕシーケンスは、それらのＺａｄｏｆｆ−Ｃｈｕルートシーケンスインデックスが、例えば、この場合は６３とすることができるＺａｄｏｆｆ−Ｃｈｕシーケンスの長さまで合計される場合に複素共役対称である。最後の２つのＰＳＳシーケンスのＺａｄｏｆｆ−Ｃｈｕルートシーケンスインデックスは、例えば、それぞれ２９及び３４とすることができ、２９＋３４＝６３である。したがって、２つのシーケンスは、複素共役対称であり、両方のシーケンスを効率的に相関付ける相関器を使用することができる。これは、２つの複素共役対称Ｚａｄｏｆｆ−Ｃｈｕシーケンスが要素毎に複素共役であるという事実のためであり、したがって、両方のシーケンスの相関付けは、効率的に実行することができる。第１シーケンスは、他のシーケンスのいずれに対しても複素共役対称でなくてもよく、したがって、専用相関器をこのために使用しなくてはならない。
【００５６】
本発明の実施例に従うスキーム１の１つの更に別の態様によると、第１Ｚａｄｏｆｆ−ＣｈｕのＰＳＳシーケンスは、リザーブすることができ、すなわち、第１タイプに対して（例えば、ＣＳＧに対して）Ｚａｄｏｆｆ−Ｃｈｕルートシーケンスインデックスｕ＝２５を有するものである。
【００５７】
スキーム１の別のオプションによると、付加的なＰＳＳをＣＳＧセルのためにリザーブすることができる。したがって、ＩＤは第２タイプ（例えば、非ＣＳＧ）セルに対して失われることはなく、すなわち、ＩＤプランニングは、第２タイプ（例えば、非ＣＳＧ）セルに対して複雑ではない。この場合、この付加的なＰＳＳに対して、Ｚａｄｏｆｆ−Ｃｈｕルートシーケンスインデックスｕ＝３８を有するＺａｄｏｆｆ−Ｃｈｕシーケンスは、２５＋３８＝６３であるので使用することができ、すなわち、付加的なＰＳＳは、第１ＰＳＳに対して複素共役対称であり、したがって、効率的に相関付けることができる。したがって、付加的なＰＳＳの導入は、全てのこれらの可能なＰＳＳを検索する場合に相関の複雑さをそれほど増加させることなく実行することができる。
【００５８】
図２は、セルタイプ検出のための第２スキーム（スキーム２）を示している。図１と同一の図２の参照符号は、同じか又は類似の手段又はエンティティを示し、これらの手段又はエンティティの説明は省略する。
【００５９】
図２に示すように、スキーム２は、ＣＳＧに対するセルＩＤの特定の（例えば、連続又は不連続）レンジをリザーブする段階、及びネットワーク２０２又はＮＢ２０２１のいずれか１つからＵＥ２０１に例えばブロードキャストチャンネルで（例えば、ＢＣＣＨを通じて）リザーブレンジを信号伝達する段階にあるとすることができる。スキーム２によると、セルタイプは、例えば、ＰＳＳ及びＳＳＳ対を通じて識別することができ、したがって、全セル検索が要求される場合がある。しかし、例えば、ＵＥが最初にキャンプオンするセルに対して、及び全セル検索をとにかく必要とするその目的に対して、一度だけこの全セル検索が要求されるであろう。次のセル検索に対して、リザーブレンジは、予めＵＥに知らせることができ、したがって、少なくとも一部のＵＥは、例えば、ＣＳＧセルの検索を避けることができる。
【００６０】
スキーム２は、ＣＳＧセルの数及びＣＳＧセルＩＤの望ましい数が比較的小さく、すなわち、≪ｎ0（例えば、１６８）である場合に適用可能とすることができる。次に、１つのＰＳＳコードを完全にリザーブしておく必要はない、（これは、他の目的のためにあまりにも多くのＩＤ又は不必要に少ないＩＤを残す場合があるので）。
【００６１】
スキーム２はまた、残りのＩＤが他の目的に必要になる場合があり、すなわち、単に１つのＰＳＳコードをリザーブすることができず（これは、あまりにも少ないＩＤをもたらす場合があるので）、又は２つのＰＳＳコードを完全にリザーブすることができないので（これは、他の目的のためにあまりにも多いＩＤ又はあまりにも少ないＩＤを残す場合があるので）、ＣＳＧセルＩＤの数がｎ0（例えば、１６８）よりも大きいが、ｎ1（例えば、３３７）よりも小さい必要がある場合に適用可能である。
【００６２】
この場合、スキーム２は、３つのＰＳＳコードの２つ（例えば、ＰＳＳ０がＣＳＧを指示し、ＰＳＳ１が非ＣＳＧを示すものである）に対するネットワークセルタイプ（ＣＳＧ又は非ＣＳＧ）を判断するようになっているとすることができる。したがって、第３ＰＳＳコードに対してのみＳＳＳを調査する必要があり、それによってスキーム３は、ＩＤの部分集合においてＳＳＳのみの検出を実行すべきである。スキーム２は、展開中に適用可能であり、すなわち、セル構成中にＰＳＳ及びＳＳＳをネットワークセルに割り当てる場合に「一意的な」ＰＳＳを優先させることができる（例えば、頻繁に使用することができる）。
【００６３】
図３は、本発明の第１の実施例に従うセルタイプ検出のための第３スキーム（スキーム３）を示している。図１と同一の図３の参照符号は、同じか又は類似の手段又はエンティティを示し、これらの手段又はエンティティの説明は省略する。
【００６４】
スキーム３は、信号伝達情報（例えば、ＲＳ）における位相変調（例えば、ＰＳＳ／ＳＳＳ／データ位相に対する）を通じて、又は信号伝達情報（例えば、ＲＳ）に対する異なるスクランブリングシーケンスを通じて第１タイプ（例えば、ＣＳＧセル）のＮＢ２０２１を検出する段階にあるとすることができる。
【００６５】
スキーム３によると、第１タイプ（例えば、ＣＳＧセル）のＮＢ２０２１は、セル検索の後であるがいずれの搬送チャンネル復号よりも前に、例えば、信号伝達情報（例えば、ＲＳ）の仮説試験（例えば、位相Ａ又はＢ、ＲＳスクランブリングシーケンスＡ又はＢ）を通じて、又は例えばＰＢＣＨ復号の処理において検出することができる（ＰＢＣＨ復号は、ＲＳ位相／ＲＳスクランブリングシーケンスにおける間違った仮説によって失敗する場合がある）。異なるＲＳスクランブリングシーケンスを通じた検出は、例えば、ＣＳＧフラグ（１ビット）をＲＳシーケンス生成器初期化ビットの現在の組に追加することにより、又は現在のセルＩＤ初期化ビットのレンジを拡張してそれらをＣＳＧ及び非ＣＳＧセルに対するセルＩＤの２つの重ならないレンジに分割することにより、そのいずれかで実施することができる。
【００６６】
スキーム３は、例えば、ｎ1＝５０４の付加的なセルＩＤ（利用可能なセルの最大数とすることができる）が、付加的な又はリザーブされた同期情報（例えば、ＰＳＳ／ＳＳＳコード）なしにＣＳＧに提供することができる場合に適用可能である。スキーム３はまた、ＣＳＧに対するセルＩＤの望ましい数がｎ1よりも大きい（例えば、３３６）場合に適用可能である。
【００６７】
スキーム３の第１の代替案として、同期情報の特定のレンジ（例えば、ＰＳＳ／ＳＳＳ対）のみをＣＳＧに対して使用することができ、この場合、信号伝達情報（例えば、ＲＳ）のブラインド検出は、これらの特定のＰＳＳ／ＳＳＳ対に対してのみ実行することができ、問題のセルがＣＳＧセル又はマクロセルかを検査し、同時に、全ての他の同期情報（例えば、ＰＳＳ／ＳＳＳ対）は、マクロセルを示すことができる。
【００６８】
スキーム３の第２の代替案として、上述のスキーム３は、ＢＣＣＨでの信号伝達に加えて、第１タイプ（例えば、ＣＳＧ）の補助的指示として使用することができる。
【００６９】
最後に、スキーム３は、信号伝達情報（例えば、ＲＳ）スクランブリングシーケンスの２つの異なる組（例えば、ＣＳＧに対する５０４ＲＳシーケンス及び非ＣＳＧに対する別の５０４ＲＳシーケンス）に適用可能であり、ＣＳＧに対応できないＵＥ２０１は、例えば、ＣＳＧセルＮＢ２０２１が測定されている場合には、ブラインド検出を追加することができるが、ＵＥ２０１は、問題のＮＢ２０２１がマクロセルであると仮定し、次に、ＵＥは、参照信号受信電力／品質（ＲＳＲＰ／ＲＳＲＱ）測定におけるいずれのエネルギも検出できず（例えば、誤って仮定されたＲＳシーケンスのために）、測定を中止し、問題のセルを選択／再選択／ハンドオーバできない場合がある。更に、スキーム３は、例えば、検出のロバスト性を改善するためにＣＳＧ検出の主な方法として別のスキーム（例えば、スキーム１又は２）が使用される場合、ＣＳＧ非ＣＳＧ検出の確認の方法として使用することができる。
【００７０】
図４は、本発明の第２の実施例に従うセルタイプ検出のための第４スキーム（スキーム４）を示している。図１と同一の図４の参照符号は、同じか又は類似の手段又はエンティティを示し、これらの手段又はエンティティの説明は省略する。
【００７１】
スキーム４は、ＲＳに対するＰＳＳ及び／又はＲＳに対するＳＳＳの間の第１タイプ（例えば、ＣＳＧ）を示す所定の位相関係、又はＰＳＳとＳＳＳ間の所定の位相関係を使用する段階にあるとすることができる。
【００７２】
スキーム４はまた、特定の位相関係を誤って使用する場合があるレガシーｅＮＢによって適用可能とすることができる。この目的のために、所定の位相関係は、例えばＢＣＣＨ上で、すなわち、問題の位相関係が早期のＣＳＧ検出のために使用することができるか否かを公開することができる。スキーム４はまた、例えば、ＣＳＧと共に作動するように設計できずかつ検出のための特定の位相関係を付加的に仮定することができるレガシーＵＥ（例えば、リリース８ＵＥ）に対して適用可能とすることができる。この場合、これらのレガシーＵＥが仮定する特定の位相関係は、普通の（例えば、非ＣＳＧ）セルを示すために使用することができ、ＣＳＧセルは、別の位相関係を使用する。別の位相関係が使用される場合、レガシーＵＥは、セルを検出できないことがあるが、レガシーＵＥは、例えば、ＣＳＧセルで作動できない場合があるので、これは、レガシーＵＥに影響を与えることはない。位相検出を実施するＵＥは、早期のＣＳＧ検出のために位相関係を使用することができる。
【００７３】
スキーム３と同様、スキーム４は、例えば、ｎ1＝５０４の付加的セルＩＤ（利用可能なセルの最大数とすることができる）を付加的な又はリザーブされた同期情報（例えば、ＰＳＳ／ＳＳＳコード）なしにＣＳＧに対して提供することができる場合に適用可能とすることができる。スキーム３はまた、ＣＳＧに対するセルＩＤの望ましい数がｎ1（例えば、３３６）よりも大きい場合に適用可能とすることができる。
【００７４】
図５は、セルタイプ検出のための第５スキーム（スキーム５）を示している。図１に同一の図５の参照符号は、同じか又は類似の手段又はエンティティを示し、これらの手段又はエンティティの説明は省略する。
【００７５】
スキーム５は、セルタイプを検出するために、例えば、ＢＣＣＨ復号及びＣＳＧフラグを用いる段階にあるとすることができる。
【００７６】
スキーム５は、セル／ＮＢ２０２１の殆どどれも（又はどれも）が第１タイプ（例えば、ＣＳＧ）でないか、又はＵＥの殆ど（又は全てのＵＥ）が第１タイプ（例えば、ＣＳＧ）である場合に適用可能とすることができる。スキーム５の使用は、上述のスキーム１から４と同様に、例えば、ＢＣＣＨで信号伝達され、例えば、ＣＳＧセルが問題のオペレータによって同じ搬送波に配置されない場合に、オペレータによる構成の選択に対して適用可能とすることができる。次に、セルＩＤ又はＰＳＳ又はＳＳＳのセルへの割り当てには制限はなく、すなわち、プランニングを容易にすることができる。スキーム５はまた、例えば、以前のスキームの一部が１次検出スキームとして使用することができる場合、検証の方法として使用することができる。
【００７７】
図６は、第３スキームを展開する本発明の第１の実施例に従うセルタイプ検出の方法を示している。要素間の信号伝達は、横方向に指示され、信号伝達間の時間態様は、信号伝達シーケンスの縦方向配置、並びにシーケンス番号に反映することができる。図６に指示された時間態様は、図示の方法段階のいずれの段階も、概説された段階シーケンスに必ずしも反映させる必要はないことに注意されたい。これは、特に、互いに機能的に分離性のある方法段階に適用され、例えば、任意的段階Ｓ１−０（制御情報の送信）は、段階Ｓ１−４（信号伝達情報の送信）の前に行われるように示されている、しかし、段階Ｓ１−０及びＳ１−４は、同時を含む別の順序でも実行することができる。図６内で、説明し易いように、主な機能を提供することができる手段又は部分は、実線の機能ブロック又は矢印及び／又は標準的なフォントで示されており、任意的な機能を提供することができる手段又は部分は、破線の機能ブロック又は矢印及び／又はイタリックフォントで示されている。
【００７８】
図６に示す（更に本明細書の上記に図１に関して説明した）ように、通信システム２００は、ＵＥ２０１及びネットワーク２０２を含むことができ、ネットワーク２０２は、第１タイプ（例えば、ＣＳＧ）のＮ個のＮＢ２０２１及び第２タイプ（例えば、非ＣＳＧ）のＭ個のＮＢ２０２１を含むことができる。以下の本明細書において、ＮＢ２０２１の１つへのいずれの参照も（ＣＳＧ／非ＣＳＧ）Ｈ（ｅ）ＮＢ２０２１の１つ又はそれよりも多くを示すことができ、又はＮＢ２０２１を管理するためのネットワークコントローラ（図示せず）を示すことができることに注意されたい。更に、以下の本明細書で１つのＵＥ２０１が説明の目的のために示されているが、これは、１つよりも多いＵＥ２０１が同じセルタイプ検出を実行することができること（以下の本明細書に説明する）を除外してはいないことに注意されたい。
【００７９】
任意的な準備的手段として、任意的段階Ｓ１−０で、例えば、ＮＢ２０２１は、制御情報の（例えば、ＰＢＣＨ又はＢＣＣＨでの）信号伝達を実行することができ、信号伝達情報の送信（以下の本明細書で説明する）は、信号伝達に対する補助的な指示として実行することができる。代替的に又は追加的に、任意的段階Ｓ１−０で、例えば、ＮＢ２０２１は、使用されるスキーム（例えば、ＢＣＣＨ）においてスキーム情報の信号伝達を実行することができる。任意的段階Ｓ２−０で、例えば、ＵＥ２０１は、信号伝達された制御情報（例えば、ＰＢＣＨ又はＢＣＣＨにおける）及び／又は信号伝達されたスキーム情報（例えば、ＢＣＣＨにおける）の受信を実行することができ、ネットワークセルタイプの検出（以下の本明細書に説明する）は、受信した制御情報及び補助的な指示として受信した信号伝達情報とに基づいて（及び／又は、例えば、使用される信号伝達されたスキームに基づいて）実行することができる。
【００８０】
任意的段階Ｓ１−１で、例えば、ＮＢ２０２１又は制御エンティティは、１組の同期情報（例えば、ＰＳＳ／ＳＳＳ対）のネットワークセルの部分集合への割り当てを実行することができ、ネットワークセルの部分集合に対してのみ信号伝達情報に変調及びスクランブリングのうちの一方を受けさせることができる。
【００８１】
任意的段階Ｓ１−２で、例えば、ＮＢ２０２１は、信号伝達情報（例えば、ＲＳ）に変調及びスクランブリングのうちの一方を受けさせる段階を実行することができる。従って、任意的段階Ｓ１−３ａで、例えば、ＮＢ２０２１は、少なくとも１つの所定の位相変調によって信号伝達情報（例えば、ＲＳ）の変調を実行することができ、又は任意的段階Ｓ１−３ｂで、例えば、ＮＢ２０２１は、少なくとも１つの所定のスクランブリングシーケンスによって信号伝達情報（例えば、ＲＳ）のスクランブリングを実行することができる。
【００８２】
次に、段階Ｓ１−４で、例えば、ＮＢ２０２１は、少なくとも１つの所定の位相変調による変調及び少なくとも１つの所定のスクランブリングシーケンスによるスクランブリングのうちの一方による信号伝達情報（例えば、ＲＳ）の送信を実行することができ、変調及びスクランブリングのうちの一方は、第１タイプのネットワークセル（例えば、ＣＳＧセル）及び第１タイプとは異なる第２タイプのネットワークセル（例えば、非ＣＳＧセル）を示すものである。任意的段階Ｓ２−1で、例えば、ＵＥ２０１は、送信された信号伝達情報の受信を実行することができる。
【００８３】
次に、任意的段階Ｓ２−２で、例えば、ＵＥ２０１は、１組の同期情報（例えば、ＰＳＳ／ＳＳＳ対）からネットワークセルの部分集合の逆参照を実行することができ、ネットワークセルの部分集合に対してのみ信号伝達情報に復調及びスクランブル解除の一方を受けさせる。
【００８４】
次に、任意的段階Ｓ２−３ａで、例えば、ＵＥ２０１は、少なくとも１つの所定の位相変調によって信号伝達情報（例えば、ＲＳ）を復調する段階を実行することができる。代替的に、任意的段階Ｓ２−３ｂで、例えば、ＵＥ２０１は、少なくとも１つの所定のスクランブリングシーケンスによって信号伝達情報のスクランブル解除（Ｓ２−３ｂ）を実行することができる。
【００８５】
次に、段階Ｓ２−４で、例えば、ＵＥ２０１は、少なくとも１つの所定の位相変調による変調及び少なくとも１つの所定のスクランブリングシーケンスによるスクランブリングのうちの一方による受信した信号伝達情報（例えば、ＲＳ）に基づいて、第１タイプのネットワークセル（例えば、ＣＳＧセル）及び第２タイプのネットワークセル（例えば、非ＣＳＧセル）の検出を実行することができ、変調及びスクランブリングのうちの一方は、第１タイプのネットワークセル及び第２タイプのネットワークセルを示すものである。
【００８６】
任意的段階Ｓ２−５で、例えば、ＵＥ２０１は、例えば、段階Ｓ１−４で実行された検出する段階を補うために、受信した信号伝達情報を仮説に対して試験する段階を実行することができる。
【００８７】
図７は、第３スキームを展開する本発明の第１の実施例に従うセルタイプ検出のための装置（例えば、ＵＥ２０１及びｅＮＢ２０２１）を示している。図７内で、説明し易いように、主要機能を提供することができる手段又は部分は、実線の機能ブロック又は矢印及び標準的なフォントで示されており、任意的機能を提供することができる手段又は部分は、破線の機能ブロック又は矢印及びイタリックフォントで示されている。
【００８８】
ＮＢ２０２１は、ＣＰＵ（又はコア機能ＣＦ）２０２１１、メモリ２０２１２、送信機（又は送信するための手段）２０２１３、任意的な受信機（又は受信するための手段）２０２１４、任意的な信号伝達器（又は信号伝達するための手段）２０２１５、任意的な割り当て器（又は割り当てるための手段）２０２１６、任意的なサブジェクタ（又は受けさせるための手段）２０２１７、任意的な変調器（又は変調するための手段）２０２１８ａ、及び任意的なスクランブル器（又はスクランブルするための手段）２０２１８ｂを含むことができる。
【００８９】
ＵＥ２０１は、ＣＰＵ（又はコア機能ＣＦ）２０１１、メモリ２０１２、任意的な送信機（又は送信するための手段）２０１３、任意的な受信機（又は受信するための手段）２０１４、任意的な逆参照器（又は逆参照するための手段）２０１５、任意的な復調器（又は復調するための手段）２０１６ａ、任意的なスクランブル解除器（又はスクランブル解除するための手段）２０１６ｂ、検出器（又は検出するための手段）２０１７、及び任意的な試験器（又は試験するための手段）２０１８を含むことができる。
【００９０】
ＣＰＵ２０２１１、２０１１の機能ブロックの破線拡張によって示すように、ＮＢ２０２１１の信号伝達するための手段２０２１５、割り当てるための手段２０２１６、受けさせるための手段２０２１７、変調するための手段２０２１８ａ、及びスクランブルするための手段２０２１８ｂ、並びにＵＥ２０１の信号伝達するための手段２０２１５、逆参照するための手段２０１５、復調するための手段２０１６ａ、スクランブル解除するための手段２０１６ｂ、検出するための手段２０１７、及び試験するための手段２０１８は、ＮＢ２０２１又はＵＥ２０１のＣＰＵ２０２１１、２０１１それぞれで実行される機能とすることができ、又は代替的に、別々の機能的エンティティ又は手段とすることができる。更に、互いに部分的に重なる信号伝達するための手段２０２１５及び送信するための手段２０２１３の機能ブロックによって示すように、信号伝達するための手段２０２１５は、送信するための手段２０２１３の１つの機能又はサブユニットとすることもできる。
【００９１】
ＣＰＵ２０ｘ１（ここで、ｘ＝１及び２１）は、様々なデータ入力を処理し、メモリ２０ｘ２、送信するための手段２０２ｘ３、及び受信するための手段２０ｘ４（及びＮＢ２０２１１の信号伝達するための手段２０２１５、割り当てるための手段２０２１６、受けさせるための手段２０２１７、変調するための手段２０２１８ａ、及びスクランブルするための手段２０２１８ｂ、並びにＵＥ２０１の信号伝達するための手段２０２１５、逆参照するための手段２０１５、復調するための手段２０１６ａ、スクランブル解除するための手段２０１６ｂ、検出するための手段２０１７、及び試験するための手段２０１８）の機能を制御するようにそれぞれに構成することができる。メモリ２０ｘ２は、例えば、ＣＰＵ２０ｘ１で実行された時に、例えば、本発明の第１の実施例（以下の本明細書に説明する第２及び第３の実施例）に従う方法を実行するためのコード手段を記憶しておくことができる。送信するための手段２０ｘ３及び受信するための手段２０ｘ４は、それぞれの一体型送受信機として代替的に提供することができることに注意されたい。送信機／受信機は、ｉ）例えばエアインタフェースを通じて（例えば、ＵＥ２０１とＮＢ２０２１間の送信の場合）送受信するための物理的送信機／受信機として、ｉｉ）例えばＰＳ（パケット交換）ネットワーク）において（例えば、別々のネットワークエンティティとして配置された一部のＮＢ２０２１（図示せず）間で）データパケットを送信／受信するための経路指定エンティティとして、ｉｉｉ）所定のメモリ領域に情報を書き込む／所定のメモリ領域から情報を読み取るための機能として（例えば、一体型ネットワークエンティティとして配置された場合に、例えば、一部のＮＢ２０２１の共有／共通ＣＰＵ又はメモリの場合）、又はｉｖ）ｉ）からｉｉｉ）のいずれの適切な組合せとして実施することができる点に更に注意されたい。
【００９２】
任意的に、例えば、ＮＢ２０２１の信号伝達するための手段２０２１５は、制御情報（例えば、ＰＢＣＨ又はＢＣＣＨで）及び／又は使用されたスキーム（例えば、ＢＣＣＨで）によってスキーム情報の信号伝達を実行することができ、送信するための手段２０２１３（以下の本明細書に説明する）による信号伝達情報の送信は、信号伝達するための手段２０２１５によって実行される信号伝達に対する補助的な指示として実行することができる。また任意的に、例えば、ＵＥ２０１の受信するための手段２０１４は、信号伝達された制御情報（例えば、ＰＢＣＨで）及び／又は信号伝達されたスキーム情報の受信を実行することができ、検出するための手段２０１７によるネットワークセルタイプの検出（本明細書で以下に説明する）は、受信した制御情報に基づいて、及び補助的な指示として受信した信号伝達情報（及び／又は例えば使用される信号伝達されたスキーム）に基づいて実行することができる。
【００９３】
任意的に、例えば、ＮＢ２０２１の割り当てるための手段２０２１６は、１組の同期情報（例えば、ＰＳＳ／ＳＳＳ対）をネットワークセルの部分集合に割り当てる段階を実行することができ、受けさせるための手段２０２１７は、ネットワークセルの部分集合に対してのみ、変調及びスクランブリングのうちの一方を信号伝達情報に受けさせるように構成することができる。
【００９４】
任意的に、例えば、ＮＢ２０２１の受けさせるための手段２０２１７は、信号伝達情報（例えば、ＲＳ）に変調及びスクランブリングのうちの一方を受けさせる段階を実行することができる。したがって、例えば、ＮＢ２０２１の変調するための手段２０２１８ａは、少なくとも１つの所定の位相変調によって信号伝達情報（例えば、ＲＳ）を変調する段階を実行することができ、又は例えば、ＮＢ２０２１のスクランブルするための手段２０２１８ｂは、少なくとも１つの所定のスクランブリングシーケンスによって信号伝達情報（例えば、ＲＳ）にスクランブルをかける段階を実行することができる。
【００９５】
次に、ＮＢ２０２１の送信するための手段２０１４は、例えば、少なくとも１つの所定の位相変調による変調及び少なくとも１つの所定のスクランブリングシーケンスによるスクランブリングのうちの一方を受けさせるための手段２０２１７によって受けさせられた信号伝達情報（例えば、ＲＳ）を送信する段階を実行することができ、変調及びスクランブリングのうちの一方は、第１タイプのネットワークセル（例えば、ＣＳＧセル）と第１タイプとは異なる第２タイプのネットワークセル（例えば、非ＣＳＧセル）とを示すものである。任意的に、例えば、ＵＥ２０１の受信するための手段２０１４は、送信された信号伝達情報を受信する段階を実行することができる。
【００９６】
次に、任意的に、例えば、ＵＥ２０１の逆参照するための手段２０１５は、１組の同期情報（例えば、ＰＳＳ／ＳＳＳ対）からネットワークセルの部分集合を逆参照する段階を実行することができ、復調するための手段２０１６ａ及びスクランブル解除するための手段２０１６ｂのうちの一方は、ネットワークセルの部分集合に対してのみ復調とスクランブル解除の一方を信号伝達情報に受けさせるように構成される。
【００９７】
したがって、任意的に、例えば、ＵＥ２０１の復調するための手段２０１６ａは、少なくとも１つの所定の位相変調によって信号伝達情報（例えば、ＲＳ）を復調する段階を実行することができる。代替的にかつ任意的に、例えば、ＵＥ２０１のスクランブル解除するための手段２０１６ｂは、少なくとも１つの所定のスクランブリングシーケンスによって信号伝達情報をスクランブル解除する段階を実行することができる。
【００９８】
次に、例えば、ＵＥ２０１の検出するための手段２０１７は、例えば、受信するための手段２０１４によって受信した少なくとも１つの所定の位相変調による変調及び少なくとも１つの所定のスクランブリングシーケンスによるスクランブリングのうちの一方による信号伝達情報（例えば、ＲＳ）に基づいて、第１タイプのネットワークセル（例えば、ＣＳＧセル）及び第１タイプとは異なる第２タイプのネットワークセル（例えば、非ＣＳＧセル）を検出する段階を実行することができ、変調及びスクランブリングのうちの一方は、第１タイプのネットワークセル及び第２タイプのネットワークセルを示すものである。
【００９９】
任意的に、例えば、ＵＥ２０１を試験するための手段２０１８は、例えば、検出するための手段２０１７によって実行される検出する段階を補うための受信した信号伝達情報を仮説に対して試験する段階を実行することができる。
【０１００】
図８は、第４スキームを展開する本発明の第２の実施例に従うセルタイプ検出の方法を示している。図６に類似の参照符号は、同じか又は類似の手段又は部分を示し、これらの手段又は部分の説明は、簡潔にするために繰り返さない。
【０１０１】
任意的段階Ｓ３−０で、例えば、ＮＢ２０２１は、使用されるスキームで（例えば、ＢＣＣＨで）スキーム情報の信号伝達を実行することができる。任意的段階Ｓ４−０’で、例えば、ＵＥ２０１は、信号伝達されたスキーム情報を受信する段階を実行することができる。上述のスキーム情報の信号伝達は、ＣＳＧセルを識別するために使用するスキームに関する情報をＮＢ２０２１からＵＥ２０１に伝送することができる。これは、本明細書に示されているスキームを含むことができるが、本発明の実施例に示されているスキームに対する補足又は代替的に使用することができる他のスキームを含むことができる。
【０１０２】
図８に示すように、段階Ｓ３−１で、例えば、ＮＢ２０２１は、ｉ）少なくとも１つの所定の互いに対する位相関係を有する１次同期信号（ＰＳＳ）及び参照信号（ＲＳ）、ｉｉ）少なくとも１つの所定の互いに対する位相関係を有する２次同期信号（ＳＳＳ）及びＲＳ、又はｉｉｉ）少なくとも１つの所定の互いに対する位相関係を有するＰＳＳ及びＳＳＳのうちの１つを送信する段階を実行することができ、少なくとも１つの位相関係は、第１タイプのネットワークセル（例えば、ＣＳＧセル）及び第２タイプのネットワークセル（例えば、非ＣＳＧセル）を示すものである。任意的段階Ｓ４−０で、例えば、ＵＥ２０１は、上述の送信された対を受信する段階を実行することができる。
【０１０３】
したがって、段階Ｓ４−１で、例えば、ＵＥ２０１は、第１及び第２タイプのネットワークセルを示すものである少なくとも１つの所定の互いに対する位相関係を有するＰＳＳ／ＲＳ、ＳＳＳ／ＲＳ及びＰＳＳ／ＳＳＳの上記に定められた対の１つの受信に基づいて、第１タイプのネットワークセル（例えば、ＣＳＧセル）及び第２タイプのネットワークセル（例えば、非ＣＳＧセル）を検出する段階を実行することができる。任意的に、検出する段階は、使用される信号伝達されたスキームにおいても実行することができる。
【０１０４】
図９は、第４スキームを展開する本発明の第２の実施例に従うセルタイプ検出のための装置（例えば、ＵＥ２０１及びｅＮＢ２０２１）を示している。図７に類似の参照符号は、同じか又は類似の手段又は部分を示し、これらの手段又は部分の説明は、簡潔にするために繰り返さない。
【０１０５】
任意的に、例えば、ＮＢ２０２１の信号伝達するための手段２０２１５は、使用されたスキームで（例えば、ＢＣＣＨで）スキーム情報を信号伝達する段階を実行することができる。また任意的に、例えば、ＵＥ２０１の受信するための手段２０１４は、信号伝達されたスキーム情報を受信する段階を実行することができる。
【０１０６】
図９に示すように、例えば、ＮＢ２０２１の送信するための手段２０２１３は、ｉ）少なくとも１つの所定の互いに対する位相関係を有する１次同期信号（ＰＳＳ）及び参照信号（ＲＳ）、ｉｉ）少なくとも１つの所定の互いに対する位相関係を有する２次同期信号（ＳＳＳ）及びＲＳ、又はｉｉｉ）少なくとも１つの所定の互いに対する位相関係を有するＰＳＳ及びＳＳＳのうちの１つを送信する段階を実行することができ、少なくとも１つの位相関係は、第１タイプのネットワークセル（例えば、ＣＳＧセル）及び第２タイプのネットワークセル（例えば、非ＣＳＧセル）を示すものである。任意的に、例えば、ＵＥ２０１の受信するための手段２０１４は、送信するための手段２０２１３によって送信された上述の対を受信する段階を実行することができる。
【０１０７】
したがって、例えば、ＵＥ２０１の検出するための手段２０１７は、第１及び第２タイプのネットワークセルを示すものである少なくとも１つの所定の互いに対する位相関係を有するＰＳＳ／ＲＳ、ＳＳＳ／ＲＳ及びＰＳＳ／ＳＳＳの上記に定められた対の１つの受信に基づいて、第１タイプのネットワークセル（例えば、ＣＳＧセル）及び第２タイプのネットワークセル（例えば、非ＣＳＧセル）を検出する段階を実行することができる。任意的に、検出するための手段は、使用される信号伝達されたスキームに基づいて検出するように構成することができる。
【０１０８】
図１０は、第１から第５のスキームの組合せを展開する本発明の第３の実施例に従うセルタイプ検出の方法を示している。図６と類似の参照符号は、同じか又は同様の手段又は部分を示し、これらの手段又は部分の説明は、簡潔にするために繰り返さない。
【０１０９】
任意的段階Ｓ５−０で、例えば、ＮＢ２０２１は、使用されたスキームで（例えば、ＢＣＣＨで）スキーム情報を信号伝達する段階を実行することができる。任意的段階Ｓ６−０’で、例えば、ＵＥ２０１は、信号伝達されたスキーム情報を受信する段階を実行することができる。
【０１１０】
図１０に示すように、段階Ｓ５−１で、例えば、ＮＢ２０２１は、第１タイプのネットワークセルを示す指示情報を送信する段階を実行することができ、送信する段階は、
ａ）（スキーム５）送信される指示情報が指示フラグ（例えば、ＣＳＧフラグ）である制御情報（例えば、ＢＣＣＨ）をブロードキャストする段階、及び／又は
ｂ）（スキーム２）１組の同期情報（例えば、ＰＳＳ／ＳＳＳ対）を第１タイプのネットワークセルに割り当てる段階、及び制御情報（例えば、ＢＣＣＨ）をブロードキャストし、送信される指示情報が同期情報である段階、及び／又は
ｃ）（スキーム１）第１タイプのネットワークセルに対する少なくとも１つの信号伝達コード情報（ＰＳＳコード）をリザーブし、送信される指示情報が信号伝達コード情報である段階、及び／又は
ｄ）（スキーム３）第１の実施例に従って送信する段階、及び／又は
ｅ）（スキーム４）第２の実施例に従って送信する段階、
を含む。任意的段階Ｓ６-０で、例えば、ＵＥ２０１は、送信された指示情報を受信する段階を実行することができる。
【０１１１】
したがって、段階Ｓ６−１で、例えば、ＵＥ２０１は、第１タイプのネットワークセルを示す受信した指示情報に基づいて、第１及び第２タイプのネットワークセル（例えば、ＣＳＧセル）を検出する段階を実行することができ、検出する段階は、
ａ）（スキーム５）受信される指示情報が指示フラグ（例えば、ＣＳＧフラグ）であるブロードキャストされた制御情報（例えば、ＢＣＣＨ）を受信する段階、及び／又は
ｂ）（スキーム２）１組の同期情報（ＰＳＳ／ＳＳＳ対）から第１タイプのネットワークセルを逆参照する段階、及びブロードキャストされた制御情報（ＢＣＣＨ）を受信し、受信される指示情報が同期情報である段階、及び／又は
ｃ）（スキーム１）第１タイプのネットワークセルに対する少なくとも１つの信号伝達コード情報（ＰＳＳコード）をリザーブし、受信する指示情報が信号伝達コード情報である段階、及び／又は
ｄ）（スキーム３）第１の実施例に従って受信する段階、及び／又は
ｅ）（スキーム４）第２の実施例に従って受信する段階、
を含む。任意的に、検出する段階は、使用される信号伝達されたスキームにおいても実行することができる。
【０１１２】
ＮＢ２０２１によって実行される上述の送信する方法の更に別の改良に関して、指示情報の送信は、第１タイプ（例えば、ＣＳＧ）のネットワークセルに対するネットワークセルＩＤの数（ｎCSG）、第１タイプ（例えば、非ＣＳＧ）のネットワークセルに対するネットワークセルＩＤの第１の数（例えば、１６８）、及び第１タイプのネットワークセルに対するネットワークセルＩＤの第２の数（例えば、３３７又は５０４）に基づいて、この数及び第１及び第２の数は、１に等しいか又はそれよりも大きな整数であり、第２の数は、第１の数よりも大きく、ここで、
項目ａ）の送信（スキーム５）は、この数が実質的にゼロに等しい場合に実行することができ、
項目ｂ）の送信（スキーム２）は、この数（例えば、≪１６８）が第１の数よりも有意に小さい場合に実行することができ、
項目ｃ）の送信（スキーム１）は、この数が第１の数よりも実質的に小さい場合、又はこの数が第１の数よりも大きくかつ第２の数よりも小さい場合に実行することができ、
項目ｄ）の送信（スキーム３）は、この数が第２の数よりも大きい場合に実行することができ、かつ
項目ｅ）の送信（スキーム４）は、この数が第２の数よりも大きい場合に実行することができる。
【０１１３】
ＮＢ２０２１によって実行される上述の送信する方法の更に別の改良に関して、項目ａ）の送信は、第１タイプの端末の数が全ての利用可能な端末の数に実質的に達した場合にも実行することができる。更に、項目ｂ）の送信は、この数が第１の数よりも大きくかつ第２の数よりも小さい場合にネットワークセルの部分集合に対して実行することができる。更に、項目ｃ）の送信は、この数が第２の数よりも実質的に小さい場合に実行することができる。
【０１１４】
図１１は、第１から第５のスキームの組合せを展開する本発明の第３の実施例に従うセルタイプの検出のための装置（例えば、ＵＥ２０１及びｅＮＢ２０２１）を示している。図７に類似の参照符号は、同じか又は類似の手段又は部分を示し、これらの手段又は部分の説明は、簡潔にするために繰り返さない。
【０１１５】
任意的に、例えば、ＮＢ２０２１の信号伝達するための手段２０２１５は、使用されたスキームで（例えば、ＢＣＣＨで）スキーム情報を信号伝達する段階を実行することができる。また任意的に、例えば、ＵＥ２０１の受信するための手段２０１４は、信号伝達されたスキーム情報を受信する段階を実行することができる。
【０１１６】
図１１に示すように、例えば、ＮＢ２０２１の送信するための手段２０２１３は、第１タイプのネットワークセルを示す指示情報を送信する段階を実行することができ、送信するための手段は、
ａ）（スキーム５）送信される指示情報が指示フラグ（例えば、ＣＳＧフラグ）である制御情報（例えば、ＢＣＣＨ）をブロードキャストするための手段、
ｂ）（スキーム２）１組の同期情報（例えば、ＰＳＳ／ＳＳＳ対）を第１タイプのネットワークセルに割り当てるための手段、及び制御情報（例えば、ＢＣＣＨ）をブロードキャストし、送信される指示情報が同期情報であるための手段、及び／又は
ｃ）（スキーム１）第１タイプのネットワークセルに対する少なくとも１つの信号伝達コード情報（ＰＳＳコード）をリザーブし、送信される指示情報が信号伝達コード情報であるための手段、及び／又は
ｄ）（スキーム３）第１の実施例に従って送信するための手段、及び／又は
ｅ）（スキーム４）第２の実施例に従って送信するための手段、
を含む。任意的に、例えば、ＵＥ２０１の受信するための手段２０１４は、送信するための手段２０２１３によって送信された指示情報を受信する段階を実行することができる。
【０１１７】
したがって、例えば、ＵＥ２０１の検出するための手段２０１７は、第１タイプのネットワークセルを示す受信した指示情報に基づいて、第１及び第２タイプのネットワークセルＣＳＧセル）を検出する段階を実行することができ、検出するための手段は、
ａ）（スキーム５）受信される指示情報が指示フラグ（例えば、ＣＳＧフラグ）であるブロードキャストされた制御情報（例えば、ＢＣＣＨ）を受信するための手段、及び／又は
ｂ）（スキーム２）１組の同期情報（ＰＳＳ／ＳＳＳ対）から第１タイプのネットワークセルを逆参照するための手段、及びブロードキャストされた制御情報（ＢＣＣＨ）を受信し、受信される指示情報が同期情報であるための手段、及び／又は
ｃ）（スキーム１）第１タイプのネットワークセルに対する少なくとも１つの信号伝達コード情報（ＰＳＳコード）をリザーブし、受信する指示情報が信号伝達コード情報であるための手段、及び／又は
ｄ）（スキーム３）第１の実施例に従って受信するための手段、及び／又は
ｅ）（スキーム４）第２の実施例に従って受信するための手段、
を含む。任意的に、ＵＥ２０１の検出するための手段２０１７は、使用される信号伝達されたスキームに基づいて検出するように構成することができる。
【０１１８】
上述の装置（例えば、ＮＢ２０２１）の更に別の改良に関して、指示情報を送信するための手段２０２１３は、ネットワークセルＩＤの数（ｎCSG）、第１の数（例えば、１６８）、及び第２の数（例えば、３３７又は５０４）に基づいて送信するように構成することができ、送信するための手段は、
この数が実質的にゼロに等しい場合には、上述の項目ａ）の手段（スキーム５）、及び／又は
この数（≪１６８）が第１の数よりも有意に小さい場合には、上述の項目ｂ）の手段（スキーム２）、及び／又は
この数が第１の数よりも実質的に小さいか、又はこの数が第１の数よりも大きくかつ第２の数よりも小さい場合には、上述の項目ｃ）の手段（スキーム１）、及び／又は
この数が第２の数よりも大きい場合には、上述の項目ｄ）の手段（スキーム３）、及び／又は
この数が第２の数よりも大きい場合には、上述の項目ｅ）の手段（スキーム４）、
を含むことができる。
【０１１９】
上述の装置（例えば、ＮＢ２０２１）の更に別の改良に関して、項目ａ）の送信するための手段は、第１タイプの端末の数が全ての利用可能な端末の数に実質的に達した場合に送信するように構成することができる。更に、項目ｂ）の送信するための手段は、この数が第１の数よりも大きくかつ第２の数よりも小さい場合に、ネットワークセルの部分集合に対して送信するように構成することができる。更に、項目ｃ）の送信するための手段は、この数が第２の数よりも実質的に小さい場合に送信するように構成することができる。
【０１２０】
第１から第３の実施例に従う上述の方法及び装置の更に別の改良に関して、信号伝達情報は、参照信号によって構成することができる。更に、第１タイプのネットワークセルは、閉鎖加入者群ネットワークセルによって構成することができ、第２タイプのネットワークセルは、非閉鎖加入者群ネットワークセル及びマクロセルのうちの一方によって構成することができる。更に、１組の同期情報は、１次同期信号及び２次同期信号の対によって構成することができる。更に、制御情報は、ブロードキャスト制御チャンネル又は物理ブロードキャストチャンネルによって構成することができる。更に、第１の数は、１６８とすることができ、第２の数は、３３７又は５０４とすることができる。更に、指示フラグは、閉鎖加入者群フラグによって構成することができる。最後に、信号伝達コード情報は、１次同期信号コードによって構成することができる。
【０１２１】
更に、送信するための手段２０２１３、受けさせるための手段２０２１７、変調するための手段２０２１８ａ、スクランブルするための手段２０２１８ｂ、割り当てるための手段２０２１６、信号伝達するための手段２０２１５、検出するための手段２０１７、復調するための手段２０１６ａ、スクランブル解除するための手段２０１７ｂ、逆参照するための手段２０１５、受信するための手段２０１４、試験するための手段２０１８、及び／又はＮＢ２０２１及び／又はＵＥ２０１のうちの少なくとも１つ又はそれよりも多く又は実行されるそれぞれの機能は、チップセット又はモジュールとして実施することができる。
【０１２２】
最後に、本発明はまた、第１から第３の実施例のいずれか１つに従う１つ又はそれよりも多くの家庭発展型ノードＢ、及び第１から第３の実施例のいずれか１つに従うユーザ機器を含むことができるシステムに関する。
【０１２３】
この段落での以下に続く詳細に制限されることなく、本発明の実施形態は、以下のように要約することができる。
ＣＳＧセル及びマクロセル間を区別するための効率的で柔軟性のある方法を提供するために、ネットワークは、以下のスキームの１つによってＵＥを構成することができる。この信号伝達は、ＢＣＣＨを通じてワイドエリアセルを通じて伝送することができ、構成された区別スキームの詳細を含むことができる。
１．
ＣＳＧセルに対して１つ（又は２つ）のＰＳＳコードをリザーブする。この解決法により、ＣＳＧセルは、セル検索の第１段階で予め識別することができ、したがって、非ＣＳＧのＵＥは、そのＰＳＳコードの検索を完全に阻止することができる。このスキームは、ＣＳＧセルの大きな数が必要とされ、ＣＳＧセルの数が１６８に近いか（ＣＳＧに対して１リザーブＰＳＳ）又は１６８よりも大きく３３７よりも小さい（又は３３７に近い、すなわち、ＳＣＧに対する２リザーブＰＳＳコード）の場合に適用可能とすることができる。
２．
ＣＳＧに対するセルＩＤの特定の（例えば、連続又は不連続）レンジをリザーブし、ＢＣＣＨを通じてリザーブレンジを信号伝達する。このスキームでは、セルタイプは、ＰＳＳ及びＳＳＳ対を通じて識別することができ、したがって、全セル検索を要求することができる。このスキームは、ＣＳＧセルの数及びＣＳＧセルＩＤの望ましい数が比較的小さく、すなわち、≪１６８である場合に適用可能とすることができる。別のシナリオは、ＣＳＧセルＩＤの数が１６８よりも大きいが３３７よりも小さくなくてはならない場合であり、これは、残りのＩＤが他の目的に必要であり、すなわち、単に１つのＰＳＳコードをリザーブすること（あまりにも少ないＩＤ）も、２つのＰＳＳコードを完全にリザーブすること（あまりにも多いＩＤ、又は特に他の目的のために残っているあまりにも少ないＩＤ）もできないからである。この場合、３つのＰＳＳコードのうち２つ（例えば、ＰＳＳ０はＣＳＧを指示し、ＰＳＳ１は非ＣＳＧを示すものである）に対するセルタイプ（ＣＳＧ又は非ＣＳＧ）を予め判断することができると同時に、第３ＰＳＳに対してのみ、ＳＳＳを調査する必要があり、それによってＳＳＳの検出の余分な複雑さは、各場合の部分集合にのみ必要になる。これは、展開中に使用することができ、すなわち、ＰＳＳ及びＳＳＳをセル構成中のセルに割り当てる時に「一意的な」ＰＳＳ（又は一部の一意的なＰＳＳ）を優先させることができる（頻繁に使用することができる）。
３．
ＲＳにおける位相変調（ＰＳＳ／ＳＳＳ／データ位相に対する）を通じて又は異なるＲＳスクランブリングシーケンスを通じてＣＳＧセルを検出する。このスキームでは、ＣＳＧセルは、セル検索の後であるがいずれの搬送チャンネル復号よりも前に、例えば、ＲＳにおける仮説試験（例えば、位相Ａ又はＢ、ＲＳスクランブリングシーケンスＡ又はＢ）を通じて又はＰＢＣＨ復号の処理で検出することができる（ＰＢＣＨ復号は、ＲＳ位相／ＲＳスクランブリングシーケンスにおける誤った仮説によって失敗する場合がある）。このスキームは、５０４の付加的なセルＩＤ（全てのセルＩＤの現在の数と同じぐらい多い。例えば、「ＴＳ  ３６．２１１」ｖ８．２．０参照）が、付加的な又はリザーブされたＰＳＳ／ＳＳＳコードなしにＣＳＧに対して提供することができる場合にも適用可能とすることができる。更に、ＣＳＧに対するセルＩＤの望ましい数は、３３６よりも大きくてもよい。代替的に、このセルがＣＳＧ又はマクロか否かを検査するために、ＲＳにおけるブラインド検出をこれらの特定のＰＳＳ／ＳＳＳ対に対してのみ実行することができる場合に、ＰＳＳ／ＳＳＳの特定のレンジだけをＣＳＧに対して使用することができ、同時に全ての他のＰＳＳ／ＳＳＳ対は、マクロセルを示すことができる。代替的に、このスキームは、ＢＣＣＨでの信号伝達に加えてＣＳＧの補助的な指示として使用することができる。このスキームはまた、ＲＳスクランブリングシーケンスの２つの異なる組（例えば、ＣＳＧのための５０４ＲＳシーケンス及び非ＣＳＧのための別の５０４ＲＳシーケンス）に適用可能であり、非ＣＳＧのＵＥは、ブラインド検出を全く実行する必要がなく、すなわち、ＣＳＧセルが測定されたが、マクロセルであるとＵＥが仮定した場合に、ＵＥは、ＲＳＲＰ／ＲＳＲＱ測定においていかなるエネルギも検出できず（誤った仮定ＲＳシーケンスのために）、測定を中止する場合があり、更にＵＥは、このようなセルを選択／再選択／ハンドオーバできない。
４．
ＣＳＧを示すためにＰＳＳ対ＲＳ及び／又はＳＳＳ対ＲＳ間の定められた位相関係、又はＰＳＳとＳＳＳ間の定められた位相関係を使用する。このスキームはまた、特定の位相関係を早期のＣＳＧ選択のために使用することができるか否かをＢＣＣＨで公表することができるので、特定の位相関係を「偶然に」使用することができるレガシーｅＮＢに適用可能とすることができる。
５．
セルタイプを検出するためにＢＣＣＨ復号及びＣＳＧフラグに依存する。このスキームは、セルの殆どどれも（どれも）がＣＳＧでないか、又はＵＥの殆ど（又は全てのＵＥ）がＣＳＧである場合に適用可能とすることができる。上述のスキームと同様に、このスキームの使用は、ＣＳＧセルがこのオペレータによって同じ搬送波で配備されていない場合には、ＢＣＣＨ上で信号伝達することができ、かつオペレータによる構成のために使用することができる。
上述のスキーム１から５は、ＣＳＧを示すパラメータの構成を可能にすることができ、又はＣＳＧセルの数（又はＣＳＧを使用するセルの割合）及びネットワークトポロジーに依存する最適構成を選択することができるように複数のスキームからの１つ（ＣＳＧセル及び非ＣＳＧセルを区別するために利用される）の構成を可能にすることができることに注意されたい。これは、今日ＣＳＧがどのくらい広範囲に移動するかを予測することは困難であるので、適用可能とすることができる。
ＣＳＧに対するサポートは、ＵＥに対して標準化されているが、ネットワークの挙動は対処されないままである。したがって、上述のスキームによると、ネットワークを展開する場合に最終的に適用可能な選択を取り上げることができるように何らかの柔軟性を提供することが安全である。
更に、最も単純な概念とすることができるＢＣＣＨでの指示を通じてＣＳＧを検出するためのフォールバック作動が常に存在することができるが、上述のように早期の検出のためにいずれの電力節約も達成しない。しかし、これらの電力節約オプションを手元に有することは、特に後で構築されたＵＥに対して適用可能であり、ＣＳＧがより広範囲に使用される機能を有するようになる場合、電力節約は、この場合により重要である。したがって、早期のＣＳＧ検出のサポートは、少なくとも最初は任意的とすることができる。
ＵＥ実施の観点から、信号伝達を通じてスキーム１、２、及び５の中から選択する段階を利用することができる。この場合、ハードウエア変更及びごく小さなソフトウエア変更も必要なく、ＣＳＧ検出は、セル検索及びの隣接セル測定相の間の早期に複雑さを最小にして実行することができる。この実施例はまた、配備されたＣＳＧセルの数に関してオペレータにより大きな柔軟性を提供する。ＣＳＧセルの数が大きい場合、セルタイプは、第１セル検索段階で予め検出することができ（スキーム１）、したがって、非ＣＳＧのＵＥに対するＣＳＧセルの悪影響を最小にする。逆に、ＣＳＧセルの数が非常に低い場合、ＳＳＳ及び／又はＰＳＳコードをリザーブする必要はない。これは、オペレータに対してネットワークプランニングを単純にし、ＣＳＧは、ＢＣＣＨを通じて信号伝達するように構成することができる。したがって、本発明は、ＣＳＧセル及び／又はＣＳＧのＵＥの高い又は低い数を有する両方のシナリオを効率的にサポートするのに十分な柔軟性のあるスキームを提供する。
ネットワークの観点から、スキーム３又は４は、これらがマクロセルに対するセルＩＤの数を低減しない（及びＣＳＧセルに対するセルＩＤの同じ最大数を可能にする）場合に、適用可能とすることができる。
【０１２４】
更に別の実施例
【０１２５】
本明細書の上述の本発明の目的に対して以下を注意すべきである。
−アクセス技術は、それによってユーザ機器がアクセスネットワーク（又は基地局それぞれ）にアクセス可能なあらゆる技術とすることができる。ＷｉＭＡＸ（マイクロ波アクセスのためのワールドワイド相互運用性）又はＷＬＡＮ（無線ローカルアクセスネットワーク）、ＢｌｕｅＴｏｏｔｈ、及び赤外線などのようなあらゆる現在又は将来の技術を使用することができるが、上述の技術は、殆ど、例えば、異なる無線スペクトルにおける無線アクセス技術であり、本発明の意味におけるアクセス技術は、ワイヤバウンド技術、例えば、ケーブルネットワーク又は固定回線のようなＩＰベースアクセス技術を意味することができる。
−ネットワークは、局エンティティ又は他のユーザ機器が、アクセスネットワークによって提供されるサービスにそれによって接続及び／又は利用することができるあらゆるデバイス、ユニット、又は手段とすることができ、このようなサービスは、特に、データ及び／又は（音声）視覚通信、データダウンロードなどを含む。
−一般的に、本発明は、データがそれに従ってデータパケットで送信されるデータパケットベースの送信スキーム、及び「インターネットプロトコル」ＩＰに基づくデータパケットベースの送信スキームに頼るネットワーク／ユーザ機器環境で適用可能とすることができる。しかし、本発明は、これに制限されず、あらゆる他の現在又は将来のＩＰ又はモバイルＩＰ（ＭＩＰ）バージョン、又はより一般的には、（Ｍ）ＩＰｖ４／６のような類似の原理に従うプロトコルも適用可能である。
−ユーザ機器は、システムユーザがそれによってアクセスネットワークからのサービスを体験することができるあらゆるデバイス、ユニット、又は手段とすることができる。
−ソフトウエアコード部分として実施され、かつネットワーク要素又は端末（デバイス、装置及び／又はそのモジュールの例として、又は装置及び／又はそのためのモジュールを含むエンティティの例として）でプロセッサを用いて実行される可能な方法段階は、独立したソフトウエアコードであり、方法段階によって定められる機能が保存される限り、いずれの公知の又は将来開発されるプログラミング言語を用いても指定することができる。
−一般的に、いずれの方法段階も、実施される機能の点から、本発明の理想を変えることなくソフトウエアとして又はハードウエアによって実行するのに適する。
−ＮＢ及び／又はＵＥでのハードウエア構成要素、又はそのいずれかのモジュールとして実施される可能な方法段階及び／又はデバイス、ユニット、又は手段は、独立したハードウエアであり、あらゆる公知の又は将来開発されるハードウエア技術、又はＭＯＳ（金属酸化膜半導体）、ＣＭＯＳ（相補形ＭＯＳ）、ＢｉＭＯＳ（バイポーラＭＯＳ）、ＢｉＣＭＯＳ（バイポーラＣＭＯＳ）、ＥＣＬ（エミッタ結合型論理）、ＴＴＬ（トランジスタ−トランジスタ論理）などのようなこれらのいずれかのハイブリッドを用いて、例えば、ＡＳＩＣ（特定用途向けＩＣ（集積回路））構成要素、ＦＰＧＡ（フィールド・プログラマブル・ゲート・アレイ）構成要素、ＣＰＬＤ（結合プログラマブル・ロジック・デバイス）構成要素又はＤＳＰ（デジタルシグナルプロセッサ）構成要素を用いて実施することができる。
−更に、ソフトウエア構成要素として実施されることが可能なあらゆる方法段階及び／又はデバイス、ユニット、又は手段も、代替的に、例えば、認証、許可、キーイング及び／又はトラフィック保護ができるあらゆるセキュリティアーキテクチャに基づいている。
−デバイス、ユニット、又は手段（例えば、ＮＢ及び／又はＵＥ、又はそのそれぞれの手段のいずれか１つ）は、個々のデバイス、ユニット、又は手段として実施することができるが、これは、デバイス、ユニット、又は手段の機能が保存される限り、これらがシステム全体を通して分散スキームで実施されることを除外しない。
−装置は、半導体チップ、チップセット、又はこれらのチップ又はチップセットを含む（ハードウエア）モジュールによって表すことができる。しかし、これは、装置又はモジュールの機能が、実施されるハードウエアの代わりに、コンピュータプログラム又は実行／プロセッサ上で実行される実行可能なソフトウエアコード部分を含むコンピュータプログラム製品のような（ソフトウエア）モジュールにおけるソフトウエアとして実施される可能性を除外しない。
−デバイスは、例えば、互いに機能的に協調しているか又は互いに機能的に独立しているが同じデバイスハウジング内にある装置として又は１つよりも多い装置のアセンブリとして見なすことができる。
【０１２６】
本発明は、その特定的な実施形態に関して本明細書に説明してきたが、本発明は、これに制限されず、様々な変更を本発明に実行することができる。
【０１２７】
分かり易いように、以下の表は、以上の説明で使用された略語の概説を示している。略語の後に続く「ｓ」は、略語の複数形を表し、例えば、「ＵＥｓ」は、「複数のユーザ機器」を表している。
３ＧＰＰ  第３世代パートナーシッププロジェクト
ＴＲ／ＴＳ  技術レポート／技術仕様
ＵＥ  ユーザ機器
ＣＳ  回線交換
ＰＳ  パケット交換
ＵＬ  アップリンク
ＤＬ  ダウンリンク
ＭＢＭＳ  マルチメディアブロードキャスト／マルチキャストサービス
ＭＢＳＦＮ  ＭＢＭＳシングル周波数ネットワーク
ＦＤＤ  周波数分割二重通信
ＴＤＤ  時分割二重通信（ＴＤＤ）
ＢＣＣＨ  ブロードキャスト制御チャンネル
ＤＬ−ＳＣＨ  ダウンリンク共有チャンネル
ＰＤＳＣＨ  物理ＤＬ共有チャンネル
ＣＳＧ  閉鎖加入者群
ＵＭＴＳ  ユニバーサルモバイルテレコミュニケーションズシステム
ＵＴＲＡＮ  ＵＭＴＳ地上無線アクセスネットワーク
Ｅ−ＵＴＲＡＮ  発展型ＵＴＲＡＮ
ｅＮＢ  発展型ノードＢ
ＨｅＮＢ  家庭用ｅノードＢ
ＩＤ  アイデンティティ
ＬＴＥ  長期発展
ＭＩＭＯ  マルチ入力マルチ出力
ＯＦＤＭ  直交周波数分割多重通信
Ｐ−ＢＣＨ  物理ブロードキャストチャンネル
ＰＳＣ  １次同期コード
ＰＳＳ  １次同期信号
ＳＳＣ  ２次同期コード
ＳＳＳ  ２次同期信号
ＲＳ  参照信号
ＲＳＲＰ  参照信号受信電力
ＲＳＲＱ  参照信号受信品質
ＵＴＲＡＮ  ＵＭＴＳ地上無線アクセスネットワーク
【符号の説明】
【０１２８】
２００  通信システム
２０１  ユーザ機器
２０２  ネットワーク
【図１】
2011525738.tif 000005
【図２】
2011525738.tif 000006
【図３】
2011525738.tif 000007
【図４】
2011525738.tif 000008
【図５】
2011525738.tif 000009
【図６】
2011525738.tif 000010
【図７】
2011525738.tif 000011
【図８】
2011525738.tif 000012
【図９】
2011525738.tif 000013
【図１０】
2011525738.tif 000014
【図１１】
2011525738.tif 000015
【国際調査報告】
2011525738.tif 000016
2011525738.tif 000017
2011525738.tif 000018